(57)【要約】【課題】デュアルコネクティビティにおいてセカンダリノード（ＳＮ）からマスタノード（ＭＮ）へのデータ量の報告を可能にすること。【解決手段】本発明の一形態による第１のユニットは、第１の基地局の中央ユニットの第１のユニットである。上記中央ユニットは、少なくとも上記第１の基地局におけるＰＤＣＰレイヤをホストし、上記第１の基地局におけるＲＬＣ、ＭＡＣ、及びＰＨＹレイヤをホストする分散ユニットへ第１のインタフェースを介して接続される。上記第１のユニットは、少なくとも上記中央ユニットがホストする上記ＰＤＣＰレイヤのユーザプレーンをホストし、少なくとも上記中央ユニットがホストする上記ＰＤＣＰレイヤの制御プレーンをホストする第２のユニットへ第２のインタフェースを介して接続され、上記第２のユニットへ、上記第１のユニットで処理されたデータボリュームを示す情報を送信する。【選択図】図３１
2019159700.tif 000002
【特許請求の範囲】
【請求項１】
第１の基地局の中央ユニットの第１のユニットであって、
前記中央ユニットは、
少なくとも前記第１の基地局におけるＰＤＣＰレイヤをホストし；
前記第１の基地局におけるＲＬＣ、ＭＡＣ、及びＰＨＹレイヤをホストする分散ユニットへ第１のインタフェースを介して接続され、
前記第１のユニットは、
少なくとも前記中央ユニットがホストする前記ＰＤＣＰレイヤのユーザプレーンをホストし；
少なくとも前記中央ユニットがホストする前記ＰＤＣＰレイヤの制御プレーンをホストする第２のユニットへ第２のインタフェースを介して接続され；
前記第２のユニットへ、前記第１のユニットで処理されたデータボリュームを示す情報を送信する、
第１のユニット。
【請求項２】
前記データボリュームは、端末装置が使用したデータ量である、請求項１に記載の第１のユニット。
【請求項３】
前記第１の基地局は、ｇＮＢである、請求項１又は２に記載の第１のユニット。
【請求項４】
前記第１の基地局は、ｅｎ−ｇＮＢである、請求項１又は２に記載の第１のユニット。
【請求項５】
前記第１の基地局は、Ｅ−ＵＴＲＡ−ＮＲ  Ｄｕａｌ  Ｃｏｎｎｅｃｔｉｖｉｔｙにおけるセカンダリノードである、請求項４に記載の第１のユニット。
【請求項６】
前記第１の基地局は、ＥＰＣ（Ｅｖｏｌｖｅｄ  Ｐａｃｋｅｔ  Ｃｏｒｅ）へ接続される、請求項１〜５のいずれか１項に記載の第１のユニット。
【請求項７】
前記第１の基地局は、５Ｇコアネットワークへ接続される、請求項１〜５のいずれか１項に記載の第１のユニット。
【請求項８】
前記第１の基地局は、Ｄｕａｌ  Ｃｏｎｎｅｃｔｉｖｉｔｙにおけるセカンダリノードであり、
前記データボリュームを示す情報は、前記第２のユニットによって、Ｄｕａｌ  Ｃｏｎｎｅｃｔｉｖｉｔｙにおけるマスタノードへ送信される、
請求項１〜７のいずれか１項に記載の第１のユニット。
【請求項９】
第１の基地局の中央ユニットの第２のユニットであって、
前記中央ユニットは、
少なくとも前記第１の基地局におけるＰＤＣＰレイヤをホストし；
前記第１の基地局におけるＲＬＣ、ＭＡＣ、及びＰＨＹレイヤをホストする分散ユニットへ第１のインタフェースを介して接続され、
前記第２のユニットは、
少なくとも前記中央ユニットがホストする前記ＰＤＣＰレイヤの制御プレーンをホストし；
少なくとも前記中央ユニットがホストする前記ＰＤＣＰレイヤのユーザプレーンをホストする第１のユニットへ第２のインタフェースを介して接続され；
前記第１のユニットから、前記第１のユニットで処理されたデータボリュームを示す情報を受信する、
第２のユニット。
【請求項１０】
前記データボリュームは、端末装置が使用したデータ量である、請求項９に記載の第２のユニット。
【請求項１１】
前記第１の基地局は、ｇＮＢである、請求項９又は１０に記載の第２のユニット。
【請求項１２】
前記第１の基地局は、ｅｎ−ｇＮＢである、請求項９又は１０に記載の第２のユニット。
【請求項１３】
前記第１の基地局は、Ｅ−ＵＴＲＡ−ＮＲ  Ｄｕａｌ  Ｃｏｎｎｅｃｔｉｖｉｔｙにおけるセカンダリノードである、請求項１２に記載の第２のユニット。
【請求項１４】
前記第１の基地局は、ＥＰＣ（Ｅｖｏｌｖｅｄ  Ｐａｃｋｅｔ  Ｃｏｒｅ）へ接続される、請求項９〜１３のいずれか１項に記載の第２のユニット。
【請求項１５】
前記第１の基地局は、５Ｇ  Ｃｏｒｅ  Ｎｅｔｗｏｒｋへ接続される、請求項９〜１３のいずれか１項に記載の第２のユニット。
【請求項１６】
前記第１の基地局は、Ｄｕａｌ  Ｃｏｎｎｅｃｔｉｖｉｔｙにおけるセカンダリノードであり、
前記第２のユニットは、前記データボリュームを示す情報をＤｕａｌ  Ｃｏｎｎｅｃｔｉｖｉｔｙにおけるマスタノードへ送信する、
請求項９〜１５のいずれか１項に記載の第２のユニット。
【請求項１７】
少なくともＮＲ（Ｎｅｗ  Ｒａｄｉｏ）を用いるデュアルコネクティビティのセカンダリノードとして端末装置のために動作する第１の基地局と前記端末装置との間で伝達されるデータの量を示すデータ量情報を、前記第１の基地局に含まれる中央ユニットへ送信する通信処理部、
を備える通信装置。
【請求項１８】
前記データは、前記セカンダリノードで終端する少なくとも１つの無線ベアラを通じて前記第１の基地局と前記端末装置との間で伝達される第１のデータを含む、請求項１７に記載の通信装置。
【請求項１９】
前記セカンダリノードで終端する前記少なくとも１つの無線ベアラは、ＳＮ  Ｔｅｒｍｉｎａｔｅｄ  ｂｅａｒｅｒを含み、
前記第１のデータは、前記ＳＮ  Ｔｅｒｍｉｎａｔｅｄ  ｂｅａｒｅｒのうちのＳｐｌｉｔ  ｂｅａｒｅｒ及びＳＣＧ  ｂｅａｒｅｒを通じて前記第１の基地局と前記端末装置との間で伝達されるデータである、
請求項１８に記載の通信装置。
【請求項２０】
前記データは、前記デュアルコネクティビティのマスタノードで終端する少なくとも１つの無線ベアラを通じて前記第１の基地局と前記端末装置との間で伝達される第２のデータをさらに含む、請求項１８又は１９に記載の通信装置。
【請求項２１】
前記マスタノードで終端する前記少なくとも１つの無線ベアラは、ＭＮ  Ｔｅｒｍｉｎａｔｅｄ  ｂｅａｒｅｒを含み、
前記第２のデータは、前記ＭＮ  Ｔｅｒｍｉｎａｔｅｄ  ｂｅａｒｅｒのうちのＳｐｌｉｔ  ｂｅａｒｅｒ及びＳＣＧ  ｂｅａｒｅｒを通じて前記第１の基地局と前記端末装置との間で伝達されるデータである、
請求項２０に記載の通信装置。
【請求項２２】
前記通信処理部は、前記データ量情報を含むシグナリングメッセージを前記中央ユニットへ送信する、請求項１７〜２１のいずれか１項に記載の通信装置。
【請求項２３】
前記通信処理部は、Ｆ１インタフェースを介して前記シグナリングメッセージを前記中央ユニットへ送信する、請求項２２に記載の通信装置。
【請求項２４】
前記データ量情報は、Ｕｓａｇｅ  ｃｏｕｎｔ  ＩＥである、請求項２２又は２３に記載の通信装置。
【請求項２５】
前記シグナリングメッセージは、ＤＡＴＡ  ＵＳＡＧＥ  ＲＥＰＯＲＴメッセージである、請求項２２〜２４のいずれか１項に記載の通信装置。
【請求項２６】
前記データ量情報は、前記端末装置のために前記デュアルコネクティビティのマスタノードとして動作する第２の基地局へ前記中央ユニットが送信するメッセージに用いられる情報である、請求項２２〜２５のいずれか１項に記載の通信装置。
【請求項２７】
前記通信処理部は、前記データ量情報を含むユーザプレーンフレームを前記中央ユニットへ送信する、請求項１７〜１９のいずれか１項に記載の通信装置。
【請求項２８】
前記データは、前記セカンダリノードで終端する無線ベアラを通じて前記第１の基地局と前記端末装置との間で伝達される第１のデータであり、
前記データ量情報は、前記第１のデータの量を示す第１のデータ量情報である、
請求項２７に記載の通信装置。
【請求項２９】
前記通信処理部は、前記デュアルコネクティビティのマスタノードで終端する無線ベアラを通じて前記第１の基地局と前記端末装置との間で伝達される第２のデータの量を示す第２のデータ量情報を含むユーザプレーンフレームを、前記端末装置のために前記マスタノードとして動作する第２の基地局へ送信する、請求項２８に記載の通信装置。
【請求項３０】
前記第１のデータ量情報は、前記中央ユニットが前記第２の基地局へ送信するメッセージに用いられる情報であり、
前記第２のデータ量情報は、前記メッセージに用いられない情報である、
請求項２９に記載の通信装置。
【請求項３１】
前記ユーザプレーンフレームは、ＧＴＰ−Ｕ（ＧＰＲＳ  Ｔｕｎｎｅｌｉｎｇ  Ｐｒｏｔｏｃｏｌ  Ｕｓｅｒ  Ｐｌａｎｅ）のフレームである、請求項２７〜３０のいずれか１項に記載の通信装置。
【請求項３２】
前記ユーザプレーンフレームは、ＤＬ  ＤＡＴＡ  ＤＥＬＩＶＥＲＹ  ＳＴＡＴＵＳフレームである、請求項３１に記載の通信装置。
【請求項３３】
前記通信処理部は、前記中央ユニットからの指示に応じて、前記データ量情報を送信する、請求項１７〜３２のいずれか１項に記載の通信装置。
【請求項３４】
前記指示は、Ｄａｔａ  Ｕｓａｇｅ  ｒｅｐｏｒｔ  Ｉｎｄｉｃａｔｉｏｎ  ＩＥ（Ｉｎｆｏｒｍａｔｉｏｎ  Ｅｌｅｍｅｎｔ）である、請求項３３に記載の通信装置。
【請求項３５】
前記通信処理部は、前記指示を含むシグナリングメッセージに応じて、前記データ量情報を送信し、
前記シグナリングメッセージは、ＵＥ  ＣＯＮＴＥＸＴ  ＳＥＴＵＰ  ＲＥＱＵＥＳＴメッセージ、又はＵＥ  ＣＯＮＴＥＸＴ  ＭＯＤＩＦＩＣＡＴＩＯＮ  ＲＥＱＵＥＳＴメッセージである、
請求項３３又は３４に記載の通信装置。
【請求項３６】
前記中央ユニットが前記第２の基地局へ送信する前記メッセージは、ＳＥＣＯＮＤＡＲＹ  ＲＡＴ  ＤＡＴＡ  ＵＳＡＧＥ  ＲＥＰＯＲＴメッセージである、請求項２６又は３０に記載の通信装置。
【請求項３７】
前記データの前記量をカウントするカウント部をさらに備える、請求項１７〜３６のいずれか１項に記載の通信装置。
【請求項３８】
前記カウント部は、ＲＬＣ（Ｒａｄｉｏ  Ｌｉｎｋ  Ｃｏｎｔｒｏｌ）レイヤ又はＭＡＣ（Ｍｅｄｉｕｍ  Ａｃｃｅｓｓ  Ｃｏｎｔｒｏｌ）レイヤにおいて、前記データの前記量をカウントする、請求項３７に記載の通信装置。
【請求項３９】
前記通信装置は、前記第１の基地局に含まれる分散ユニットである、請求項１７〜３８のいずれか１項に記載の通信装置。
【請求項４０】
前記通信装置は、前記第１の基地局である、請求項１７〜３８のいずれか１項に記載の通信装置。
【請求項４１】
前記中央ユニットは、前記第１の基地局に含まれる、制御プレーンのための第１の中央ユニットであり、
前記通信装置は、前記第１の基地局に含まれる、ユーザプレーンのための第２の中央ユニットである、
請求項１７〜３８のいずれか１項に記載の通信装置。
【請求項４２】
前記第１の基地局は、前記中央ユニットと分散ユニットとを含み、
前記中央ユニットは、ＰＤＣＰ（Ｐａｃｋｅｔ  Ｄａｔａ  Ｃｏｎｖｅｒｇｅｎｃｅ  Ｐｒｏｔｏｃｏｌ）レイヤの処理を実行するユニットであり、
前記分散ユニットは、ＲＬＣレイヤ及びＭＡＣレイヤの処理を実行するユニットである、
請求項１７〜４１のいずれか１項に記載の通信装置。
【請求項４３】
前記デュアルコネクティビティは、ＮＲ及びＬＴＥ（Long  Term  Evolution）を用いるデュアルコネクティビティである、請求項１７〜４２のいずれか１項に記載の通信装置。
【請求項４４】
前記デュアルコネクティビティは、ＥＮ−ＤＣ（Ｅ−ＵＴＲＡ−ＮＲ  Ｄｕａｌ  Ｃｏｎｎｅｃｔｉｖｉｔｙ）であり、
前記第１の基地局は、ｅｎ−ｇＮＢである、
請求項４３に記載の通信装置。
【請求項４５】
少なくともＮＲを用いるデュアルコネクティビティのセカンダリノードとして端末装置のために動作する第１の基地局と前記端末装置との間で伝達されるデータの量を示すデータ量情報を、前記第１の基地局に含まれるユニットから受信する第１通信処理部と、
前記端末装置のために前記デュアルコネクティビティのマスタノードとして動作する第２の基地局へ、前記データ量情報が用いられたメッセージを送信する第２通信処理部と、
を備え、
前記ユニットは、前記第１の基地局に含まれる分散ユニット、又は、前記第１の基地局に含まれる、ユーザプレーンのための第２の中央ユニットである、
通信装置。
【請求項４６】
前記ユニットは、前記分散ユニットであり、
前記通信装置は、前記第１の基地局に含まれる中央ユニットである、
請求項４５に記載の通信装置。
【請求項４７】
前記ユニットは、前記第２の中央ユニットであり、
前記通信装置は、前記第１の基地局に含まれる、制御プレーンのための第１の中央ユニットである、
請求項４５に記載の通信装置。
【請求項４８】
前記第１通信処理部は、前記データ量情報の送信の指示を含むシグナリングメッセージを前記ユニットへ送信する、請求項４５〜４７のいずれか１項に記載の通信装置。
【請求項４９】
端末装置であって、
少なくともＮＲを用いるデュアルコネクティビティのセカンダリノードとして前記端末装置のために動作する第１の基地局と通信する第１通信処理部と、
前記端末装置のために前記デュアルコネクティビティのマスタノードとして動作する第２の基地局と通信する第２通信処理部と、
を備え、
前記第１の基地局は、前記第１の基地局と前記端末装置との間で伝達されるデータの量を示すデータ量情報を、前記第１の基地局に含まれる中央ユニットへ送信するユニットを含む、
端末装置。
【請求項５０】
少なくともＮＲを用いるデュアルコネクティビティのセカンダリノードとして端末装置のために動作する第１の基地局と前記端末装置との間で伝達されるデータの量を示すデータ量情報を、前記第１の基地局に含まれる中央ユニットへ送信すること、
を含む方法。
【請求項５１】
少なくともＮＲを用いるデュアルコネクティビティのセカンダリノードとして端末装置のために動作する第１の基地局と前記端末装置との間で伝達されるデータの量を示すデータ量情報を、前記第１の基地局に含まれる中央ユニットへ送信すること、
をプロセッサに実行させるプログラム。
【請求項５２】
少なくともＮＲを用いるデュアルコネクティビティのセカンダリノードとして端末装置のために動作する第１の基地局と前記端末装置との間で伝達されるデータの量を示すデータ量情報を、前記第１の基地局に含まれる中央ユニットへ送信すること、
をプロセッサに実行させるプログラムを記録したコンピュータに読み取り可能な非一時的記録媒体。
【請求項５３】
少なくともＮＲを用いるデュアルコネクティビティのセカンダリノードとして端末装置のために動作する第１の基地局と前記端末装置との間で伝達されるデータの量を示すデータ量情報を、前記第１の基地局に含まれるユニットから受信することと、
前記端末装置のために前記デュアルコネクティビティのマスタノードとして動作する第２の基地局へ、前記データ量情報が用いられたメッセージを送信することと、
を含み、
前記ユニットは、前記第１の基地局に含まれる分散ユニット、又は、前記第１の基地局に含まれる、ユーザプレーンのための第２の中央ユニットである、
方法。
【請求項５４】
少なくともＮＲを用いるデュアルコネクティビティのセカンダリノードとして端末装置のために動作する第１の基地局と前記端末装置との間で伝達されるデータの量を示すデータ量情報を、前記第１の基地局に含まれるユニットから受信することと、
前記端末装置のために前記デュアルコネクティビティのマスタノードとして動作する第２の基地局へ、前記データ量情報が用いられたメッセージを送信することと、
をプロセッサに実行させるプログラムであって、
前記ユニットは、前記第１の基地局に含まれる分散ユニット、又は、前記第１の基地局に含まれる、ユーザプレーンのための第２の中央ユニットである、
プログラム。
【請求項５５】
少なくともＮＲを用いるデュアルコネクティビティのセカンダリノードとして端末装置のために動作する第１の基地局と前記端末装置との間で伝達されるデータの量を示すデータ量情報を、前記第１の基地局に含まれるユニットから受信することと、
前記端末装置のために前記デュアルコネクティビティのマスタノードとして動作する第２の基地局へ、前記データ量情報が用いられたメッセージを送信することと、
をプロセッサに実行させるプログラムを記録したコンピュータに読み取り可能な非一時的記録媒体であって、
前記ユニットは、前記第１の基地局に含まれる分散ユニット、又は、前記第１の基地局に含まれる、ユーザプレーンのための第２の中央ユニットである、
コンピュータに読み取り可能な非一時的記録媒体。
【請求項５６】
少なくともＮＲを用いるデュアルコネクティビティのセカンダリノードとして端末装置のために動作する第１の基地局と通信することと、
前記端末装置のために前記デュアルコネクティビティのマスタノードとして動作する第２の基地局と通信することと、
を含み、
前記第１の基地局は、前記第１の基地局と前記端末装置との間で伝達されるデータの量を示すデータ量情報を、前記第１の基地局に含まれる中央ユニットへ送信するユニットを含む、
方法。
【請求項５７】
少なくともＮＲを用いるデュアルコネクティビティのセカンダリノードとして端末装置のために動作する第１の基地局と通信することと、
前記端末装置のために前記デュアルコネクティビティのマスタノードとして動作する第２の基地局と通信することと、
をプロセッサに実行させるプログラムであり、
前記第１の基地局は、前記第１の基地局と前記端末装置との間で伝達されるデータの量を示すデータ量情報を、前記第１の基地局に含まれる中央ユニットへ送信するユニットを含む、
プログラム。
【請求項５８】
少なくともＮＲを用いるデュアルコネクティビティのセカンダリノードとして端末装置のために動作する第１の基地局と通信することと、
前記端末装置のために前記デュアルコネクティビティのマスタノードとして動作する第２の基地局と通信することと、
をプロセッサに実行させるプログラムを記録したコンピュータに読み取り可能な非一時的記録媒体であり、
前記第１の基地局は、前記第１の基地局と前記端末装置との間で伝達されるデータの量を示すデータ量情報を、前記第１の基地局に含まれる中央ユニットへ送信するユニットを含む、
コンピュータに読み取り可能な非一時的記録媒体。
【発明の詳細な説明】
【技術分野】
【０００１】
本発明は、第１のユニット、第２のユニット、通信装置、端末装置、方法、プログラム及び記録媒体に関する。
【背景技術】
【０００２】
３ＧＰＰ（Ｔｈｉｒｄ−Ｇｅｎｅｒａｔｉｏｎ  Ｐａｒｔｎｅｒｓｈｉｐ  Ｐｒｏｊｅｃｔ）のＲｅｌｅａｓｅ１５では、ＥＮ−ＤＣ（Ｅ−ＵＴＲＡ−ＮＲ  Ｄｕａｌ  Ｃｏｎｎｅｃｔｉｖｉｔｙ）が規定されている（非特許文献１参照）。ＥＮ−ＤＣでは、ＵＥ（Ｕｓｅｒ  Ｅｑｕｉｐｍｅｎｔ）は、マスタノード（ＭＮ）として動作する１つのｅＮＢ（ｅｖｏｌｖｅｄ  Ｎｏｄｅ  Ｂ）と、セカンダリノード（ＳＮ）として動作するｅｎ−ｇＮＢとに接続される。【０００３】
さらに、ＥＮ−ＤＣの一機能として、Ｓｅｃｏｎｄａｒｙ  ＲＡＴ  Ｄａｔａ  Ｕｓａｇｅ  Ｒｅｐｏｒｔ機能が規定されている（非特許文献２参照）。ｅｎ−ｇＮＢは、セカンダリＲＡＴ（Ｒａｄｉｏ  Ａｃｃｅｓｓ  Ｔｅｃｈｎｏｌｏｇｙ）であるＮＲ（Ｎｅｗ  Ｒａｄｉｏ）を用いてｅｎ−ｇＮＢとＵＥとの間で伝達されたユーザデータの量をカウント（測定）し、Ｘ２ＡＰ：Ｓｅｃｏｎｄａｒｙ  ＲＡＴ  Ｄａｔａ  Ｕｓａｇｅ  Ｒｅｐｏｒｔメッセージでこのデータ量（ｄａｔａ  ｖｏｌｕｍｅ）をＭｅＮＢ（ＭＮであるｅＮＢ）に報告する。
【先行技術文献】
【非特許文献】
【０００４】
【非特許文献１】３ＧＰＰ  ＴＳ  ３７．３４０  Ｖ１５．０．０  （２０１７−１２）  “３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）  ａｎｄ  ＮＲ；Ｍｕｌｔｉ−ｃｏｎｎｅｃｔｉｖｉｔｙ；Ｓｔａｇｅ  ２  （Ｒｅｌｅａｓｅ  １５）”
【非特許文献２】３ＧＰＰ  ＴＳ  ３６．４２３  Ｖ１５．０．０  （２０１７−１２）  “３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）；Ｘ２  ａｐｐｌｉｃａｔｉｏｎ  ｐｒｏｔｏｃｏｌ  （Ｘ２ＡＰ）（Ｒｅｌｅａｓｅ  １５）”
【発明の概要】
【発明が解決しようとする課題】
【０００５】
しかし、Ｓｅｃｏｎｄａｒｙ  ＲＡＴ  Ｄａｔａ  Ｕｓａｇｅ  Ｒｅｐｏｒｔ機能の実現手法が規定されていない。より具体的には、ＳＮであるｅｎ−ｇＮＢがデータ量を取得する手法は規定されていない。【０００６】
本発明の目的は、デュアルコネクティビティにおいてセカンダリノード（ＳＮ）からマスタノード（ＭＮ）へのデータ量の報告を可能にする仕組みを提供することにある。
【課題を解決するための手段】
【０００７】
本発明の一形態による第１のユニットは、第１の基地局の中央ユニットの第１のユニットである。上記中央ユニットは、少なくとも上記第１の基地局におけるＰＤＣＰレイヤをホストし、上記第１の基地局におけるＲＬＣ、ＭＡＣ、及びＰＨＹレイヤをホストする分散ユニットへ第１のインタフェースを介して接続される。上記第１のユニットは、少なくとも上記中央ユニットがホストする上記ＰＤＣＰレイヤのユーザプレーンをホストし、少なくとも上記中央ユニットがホストする上記ＰＤＣＰレイヤの制御プレーンをホストする第２のユニットへ第２のインタフェースを介して接続され、上記第２のユニットへ、上記第１のユニットで処理されたデータボリュームを示す情報を送信する。【０００８】
本発明の一形態による第２のユニットは、第１の基地局の中央ユニットの第２のユニットである。上記中央ユニットは、少なくとも上記第１の基地局におけるＰＤＣＰレイヤをホストし、上記第１の基地局におけるＲＬＣ、ＭＡＣ、及びＰＨＹレイヤをホストする分散ユニットへ第１のインタフェースを介して接続される。上記第２のユニットは、少なくとも上記中央ユニットがホストする上記ＰＤＣＰレイヤの制御プレーンをホストし、少なくとも上記中央ユニットがホストする上記ＰＤＣＰレイヤのユーザプレーンをホストする第１のユニットへ第２のインタフェースを介して接続され、上記第１のユニットから、上記第１のユニットで処理されたデータボリュームを示す情報を受信する。【０００９】
本発明の一形態において、上記第１のユニットの上述した機能を動作させる処理ステップを含む第１の方法、又は上記第２のユニットの上述した機能を動作させる処理ステップを含む第２の方法が提供されてもよい。【００１０】
本発明の一形態による第１の通信装置は、少なくともＮＲ（Ｎｅｗ  Ｒａｄｉｏ）を用いるデュアルコネクティビティのセカンダリノードとして端末装置のために動作する第１の基地局と上記端末装置との間で伝達されるデータの量を示すデータ量情報を、上記第１の基地局に含まれる中央ユニットへ送信する通信処理部、を備える。【００１１】
本発明の一形態による第２の通信装置は、少なくともＮＲを用いるデュアルコネクティビティのセカンダリノードとして端末装置のために動作する第１の基地局と上記端末装置との間で伝達されるデータの量を示すデータ量情報を、上記第１の基地局に含まれるユニットから受信する第１通信処理部と、上記端末装置のために上記デュアルコネクティビティのマスタノードとして動作する第２の基地局へ、上記データ量情報が用いられたメッセージを送信する第２通信処理部と、を備え、上記ユニットは、上記第１の基地局に含まれる分散ユニット、又は、上記第１の基地局に含まれる、ユーザプレーンのための第２の中央ユニットである。【００１２】
本発明の一形態による端末装置は、少なくともＮＲを用いるデュアルコネクティビティのセカンダリノードとして上記端末装置のために動作する第１の基地局と通信する第１通信処理部と、上記端末装置のために上記デュアルコネクティビティのマスタノードとして動作する第２の基地局と通信する第２通信処理部と、を備え、上記第１の基地局は、上記第１の基地局と上記端末装置との間で伝達されるデータの量を示すデータ量情報を、上記第１の基地局に含まれる中央ユニットへ送信するユニットを含む。【００１３】
本発明の一形態による第３の方法は、少なくともＮＲを用いるデュアルコネクティビティのセカンダリノードとして端末装置のために動作する第１の基地局と上記端末装置との間で伝達されるデータの量を示すデータ量情報を、上記第１の基地局に含まれる中央ユニットへ送信すること、を含む。【００１４】
本発明の一形態による第４の方法は、少なくともＮＲを用いるデュアルコネクティビティのセカンダリノードとして端末装置のために動作する第１の基地局と上記端末装置との間で伝達されるデータの量を示すデータ量情報を、上記第１の基地局に含まれるユニットから受信することと、上記端末装置のために上記デュアルコネクティビティのマスタノードとして動作する第２の基地局へ、上記データ量情報が用いられたメッセージを送信することと、を含み、上記ユニットは、上記第１の基地局に含まれる分散ユニット、又は、上記第１の基地局に含まれる、ユーザプレーンのための第２の中央ユニットである。【００１５】
本発明の一形態による第５の方法は、少なくともＮＲを用いるデュアルコネクティビティのセカンダリノードとして端末装置のために動作する第１の基地局と通信することと、上記端末装置のために上記デュアルコネクティビティのマスタノードとして動作する第２の基地局と通信することと、を含み、上記第１の基地局は、上記第１の基地局と上記端末装置との間で伝達されるデータの量を示すデータ量情報を、上記第１の基地局に含まれる中央ユニットへ送信するユニットを含む。【００１６】
本発明の一形態において、上記第１の方法、上記第２の方法、上記第３の方法、上記第４の方法及び上記第５の方法のうちの少なくとも１つをプロセッサに実行させるプログラム、又は当該プログラムを記録したコンピュータに読み取り可能な非一時的記録媒体が提供されてもよい。
【発明の効果】
【００１７】
本発明の一形態によれば、デュアルコネクティビティにおいてセカンダリノード（ＳＮ）からマスタノード（ＭＮ）へのデータ量の報告が可能になる。なお、本発明の一形態により、当該効果の代わりに、又は当該効果とともに、他の効果が奏されてもよい。
【図面の簡単な説明】
【００１８】
【図１】実施形態に係るシステムの概略的な構成の一例を示す説明図である。
【図２】実施形態に係る各無線ベアラのレイヤ処理の例を説明するための説明図である。
【図３】実施形態に係る第１の基地局の分割（Ｓｐｌｉｔ）の例を説明するための説明図である。
【図４】第１の実施形態に係る第１の基地局の分割の例を説明するための説明図である。
【図５】第１の実施形態に係るＭＮ  Ｔｅｒｍｉｎａｔｅｄ  ｂｅａｒｅｒについてのデータルートの例を説明するための説明図である。
【図６】第１の実施形態に係るＣＵの概略的な構成の例を示すブロック図である。
【図７】第１の実施形態に係るＤＵの概略的な構成の例を示すブロック図である。
【図８】第１の実施形態に係る第２の基地局の概略的な構成の例を示すブロック図である。
【図９】第１の実施形態に係る端末装置の概略的な構成の例を示すブロック図である。
【図１０】第１の実施形態に係るＤＡＴＡ  ＵＳＡＧＥ  ＲＥＰＯＲＴメッセージの例を説明するための第１の説明図である。
【図１１】第１の実施形態に係るＤＡＴＡ  ＵＳＡＧＥ  ＲＥＰＯＲＴメッセージの例を説明するための第２の説明図である。
【図１２】第１の実施形態に係るＤＡＴＡ  ＵＳＡＧＥ  ＲＥＰＯＲＴメッセージの例を説明するための第３の説明図である。
【図１３】第１の実施形態に係るＵＥ  ＣＯＮＴＥＸＴ  ＳＥＴＵＰ  ＲＥＱＵＥＳＴメッセージの例を説明するための説明図である。
【図１４】第１の実施形態に係るＵＥ  ＣＯＮＴＥＸＴ  ＭＯＤＩＦＩＣＡＴＩＯＮ  ＲＥＱＵＥＳＴメッセージの例を説明するための説明図である。
【図１５】第１の実施形態に係るＳＥＣＯＮＤＡＲＹ  ＲＡＴ  ＤＡＴＡ  ＵＳＡＧＥ  ＲＥＰＯＲＴメッセージの例を説明するための第１の説明図である。
【図１６】第１の実施形態に係るＳＥＣＯＮＤＡＲＹ  ＲＡＴ  ＤＡＴＡ  ＵＳＡＧＥ  ＲＥＰＯＲＴメッセージの例を説明するための第２の説明図である。
【図１７】第１の実施形態に係る処理の概略的な流れの例を説明するためのシーケンス図である。
【図１８】第１の実施形態の変形例に係るＤＬ  ＤＡＴＡ  ＤＥＬＩＶＥＲＹ  ＳＴＡＴＵＳフレームの例を説明するための説明図である。
【図１９】第１の実施形態の変形例に係る処理の概略的な流れの例を説明するためのシーケンス図である。
【図２０】第２の実施形態に係る第１の基地局の分割の例を説明するための説明図である。
【図２１】第２の実施形態に係るＣＵの概略的な構成の例を示すブロック図である。
【図２２】第２の実施形態に係るＤＵの概略的な構成の例を示すブロック図である。
【図２３】第２の実施形態に係る処理の概略的な流れの例を説明するためのシーケンス図である。
【図２４】第２の実施形態の変形例に係る処理の概略的な流れの例を説明するためのシーケンス図である。
【図２５】第３の実施形態に係る第１の基地局の分割（Ｓｐｌｉｔ）の例を説明するための説明図である。
【図２６】第３の実施形態に係る第１の基地局の分割（Ｈｉｇｈｅｒ  Ｌａｙｅｒ  Ｓｐｌｉｔ）の例を説明するための説明図である。
【図２７】第３の実施形態に係るＣＵ−ＣＰの概略的な構成の例を示すブロック図である。
【図２８】第３の実施形態に係るＣＵ−ＵＰの概略的な構成の例を示すブロック図である。
【図２９】第３の実施形態に係る処理の概略的な流れの第１の例を説明するためのシーケンス図である。
【図３０】第３の実施形態に係る処理の概略的な流れの第２の例を説明するためのシーケンス図である。
【図３１】第３の実施形態に係る処理の概略的な流れの第３の例を説明するためのシーケンス図である。
【図３２】第３の実施形態に係る処理の概略的な流れの第４の例を説明するためのシーケンス図である。
【図３３】第４の実施形態に係る第１の通信装置の概略的な構成の例を示すブロック図である。
【図３４】第４の実施形態に係る第２の通信装置の概略的な構成の例を示すブロック図である。
【図３５】第４の実施形態に係る端末装置の概略的な構成の例を示すブロック図である。
【発明を実施するための形態】
【００１９】
以下、添付の図面を参照して本発明の実施形態（以下、「本実施形態」と呼ぶ）を詳細に説明する。なお、本明細書及び図面において、同様に説明されることが可能な要素については、同一の符号を付することにより重複説明が省略され得る。
【００２０】
説明は、以下の順序で行われる。
１．システムの構成
２．第１の実施形態
２．１．第１の基地局の分割
２．２．各ノードの構成
２．２．１．中央ユニット（ＣＵ）の構成
２．２．２．分散ユニット（ＤＵ）の構成
２．２．３．第２の基地局の構成
２．２．４．端末装置の構成
２．３．技術的特徴
２．４．変形例
３．第２の実施形態
３．１．第１の基地局の分割
３．２．各ノードの構成
３．２．１．中央ユニット（ＣＵ）の構成
３．２．２．分散ユニット（ＤＵ）の構成
３．３．技術的特徴
３．４．変形例
４．第３の実施形態
４．１．第１の基地局の分割
４．２．各ノードの構成
４．２．１．ＣＵ−ＣＰの構成
４．２．２．ＣＵ−ＵＰの構成
４．３．技術的特徴
５．第４の実施形態
５．１．各ノードの構成
５．１．１．第１の通信装置の構成
５．１．２．第２の通信装置の構成
５．１．３．端末装置の構成
５．２．技術的特徴
【００２１】
＜＜＜１．システムの構成＞＞＞
図１を参照して、本実施形態に係るシステム１の構成の例を説明する。図１は、本実施形態に係るシステム１の概略的な構成の一例を示す説明図である。図１を参照すると、システム１は、コアネットワーク１０、第１の基地局１００、第２の基地局４００及び端末装置５００を含む。
【００２２】
（１）規格／仕様への準拠
例えば、システム１は、３ＧＰＰの規格（ｓｔａｎｄａｒｄ）又は仕様（ｓｐｅｃｉｆｉｃａｔｉｏｎ）に準拠したシステムである。より具体的には、例えば、システム１は、第５世代（５Ｇ）若しくはＮＲ（Ｎｅｗ  Ｒａｄｉｏ）の規格又は仕様に準拠する。システム１は、ＬＴＥ（Ｌｏｎｇ  Ｔｅｒｍ  Ｅｖｏｌｕｔｉｏｎ）若しくはＳＡＥ（Ｓｙｓｔｅｍ  Ａｒｃｈｉｔｅｃｔｕｒｅ  Ｅｖｏｌｕｔｉｏｎ）の規格又は仕様にも準拠し得る。ここでのＬＴＥは、ＬＴＥ−Ａｄｖａｎｃｅｄ又はｅＬＴＥ（ｅｎｈａｎｃｅｄ  ＬＴＥ）であってもよく、（ノーマルの）ＬＴＥであってもよく、他の種類のＬＴＥであってもよい。
【００２３】
（２）インタフェース
第１の基地局１００は、インタフェース３０を介してコアネットワーク１０と通信する。第２の基地局４００は、インタフェース４０を介してコアネットワーク１０と通信する。
【００２４】
一例として、コアネットワーク１０は、ＥＰＣ（Ｅｖｏｌｖｅｄ  Ｐａｃｋｅｔ  Ｃｏｒｅ）（即ち、４Ｇ（Ｆｏｕｒｔｈ−Ｇｅｎｅｒａｔｉｏｎ）のコアネットワーク）である。この場合に、例えば、インタフェース３０及びインタフェース４０は、Ｓ１インタフェースである。
【００２５】
別の例として、コアネットワーク１０は、５ＧＣ（Ｆｉｆｔｈ−Ｇｅｎｅｒａｔｉｏｎ  Ｃｏｒｅ  ｎｅｔｗｏｒｋ）であってもよい。この場合に、インタフェース３０及びインタフェース４０は、ＮＧインタフェースであってもよい。
【００２６】
第１の基地局１００及び第２の基地局４００は、インタフェース５０を介して互いに通信する。
【００２７】
（３）デュアルコネクティビティ
第１の基地局１００は、端末装置５００と無線で通信する。また、第２の基地局４００も、端末装置５００と無線で通信する。端末装置５００は、デュアルコネクティビティをサポートし、例えば、第１の基地局１００及び第２の基地局４００と同時に接続される。とりわけ本実施形態では、第１の基地局１００は、端末装置５００のために、デュアルコネクティビティのセカンダリノード（ＳＮ）として動作し、第２の基地局４００は、端末装置５００のために、デュアルコネクティビティのマスタノード（ＭＮ）として動作する。
【００２８】
本実施形態では、上記デュアルコネクティビティは、ＲＡＴ（Ｒａｄｉｏ  Ａｃｃｅｓｓ  Ｔｅｃｈｎｏｌｏｇｙ）として少なくともＮＲ（Ｎｅｗ  Ｒａｄｉｏ）を用いる。即ち、マスタノード（第２の基地局４００）及びセカンダリノード（第１の基地局１００）の少なくとも一方は、ＮＲを用いて端末装置５００と通信する。なお、上記ＮＲは、３ＧＰＰの５Ｇ（Ｆｉｆｔｈ−Ｇｅｎｅｒａｔｉｏｎ）のＲＡＴであり、Ｎｅｗ  ＲＡＴ（ＮＲ）又は５Ｇ  ＮＲ（Ｎｅｗ  Ｒａｄｉｏ／ＲＡＴ）等と呼ばれ得る。
【００２９】
−ＮＲ＋ＬＴＥ
例えば、上記デュアルコネクティビティは、ＮＲ及びＬＴＥを用いるデュアルコネクティビティである。即ち、マスタノード（第２の基地局４００）及びセカンダリノード（第１の基地局１００）の一方が、ＮＲを用いて端末装置５００と通信し、他方が、ＬＴＥを用いて端末装置５００と通信する。上述したように、ここでのＬＴＥは、ＬＴＥ−Ａｄｖａｎｃｅｄ又はｅＬＴＥ（ｅｎｈａｎｃｅｄ  ＬＴＥ）であってもよく、（ノーマルの）ＬＴＥであってもよく、他の種類のＬＴＥであってもよい。
【００３０】
−−ＥＮ−ＤＣ
一例として、上記デュアルコネクティビティは、ＥＮ−ＤＣであり、第１の基地局１００は、ｅｎ−ｇＮＢであり、上記第２の基地局４００は、ＭｅＮＢ（Ｍａｓｔｅｒ  ｅＮＢ）である。即ち、マスタノード（ＭＮ）である第２の基地局４００（ＭｅＮＢ）は、ＲＡＴとしてＬＴＥを用いて端末装置５００と通信し、セカンダリノード（ＳＮ）である第１の基地局１００（ｅｎ−ｇＮＢ）は、ＲＡＴとしてＮＲを用いて端末装置５００と通信する。この場合に、コアネットワーク１０は、ＥＰＣであり、第１の基地局１００と第２の基地局４００との間のインタフェース５０は、Ｘ２インタフェースである。
【００３１】
図２は、本実施形態に係る各無線ベアラのレイヤ処理の例を説明するための説明図である。図２を参照すると、セカンダリノード（ＳＮ）である第１の基地局１００（ｅｎ−ｇＮＢ）、及びマスタノード（ＭＮ）である第２の基地局４００（ＭｅＮＢ）と、各無線ベアラとが示されている。無線ベアラとして、ＭＮにて終端する（即ちＰＤＣＰがＭＮに位置する）ＭＮ  Ｔｅｒｍｉｎａｔｅｄ  ｂｅａｒｅｒと、ＳＮにて終端する（即ちＰＤＣＰがＳＮに位置する）ＳＮ  Ｔｅｒｍｉｎａｔｅｄ  ｂｅａｒｅｒとがある。さらに、ＭＮ  Ｔｅｒｍｉｎａｔｅｄ  ｂｅａｒｅｒとして、ＭＣＧ（Ｍａｓｔｅｒ  Ｃｅｌｌ  Ｇｒｏｕｐ）  ｂｅａｒｅｒ、ＳＣＧ（Ｓｅｃｏｎｄａｒｙ  Ｃｅｌｌ  Ｇｒｏｕｐ）  ｂｅａｒｅｒ及びＳｐｌｉｔ  ｂｅａｒｅｒがある。また、ＳＮ  Ｔｅｒｍｉｎａｔｅｄ  ｂｅａｒｅｒとして、同様に、ＭＣＧ  ｂｅａｒｅｒ、ＳＣＧ  ｂｅａｒｅｒ及びＳｐｌｉｔ  ｂｅａｒｅｒがある。ＭＣＧ  ｂｅａｒｅｒは、ＭＣＧにのみＲＬＣベアラをもつ無線ベアラであり、ＭＣＧ  ｂｅａｒｅｒについてのＲＬＣレイヤ、ＭＡＣレイヤ及び物理レイヤの処理は、ＭＮ（第２の基地局４００）において行われる。ＳＣＧ  ｂｅａｒｅｒは、ＳＣＧにのみＲＬＣベアラをもつ無線ベアラであり、ＳＣＧ  ｂｅａｒｅｒについてのＲＬＣレイヤ、ＭＡＣレイヤ及び物理レイヤの処理は、ＳＮ（第１の基地局１００）において行われる。Ｓｐｌｉｔ  ｂｅａｒｅｒは、ＭＣＧ及びＳＣＧの両方にＲＬＣベアラをもつ無線ベアラであり、Ｓｐｌｉｔ  ｂｅａｒｅｒについてのＲＬＣレイヤ、ＭＡＣレイヤ及び物理レイヤの処理は、ＭＮ（第２の基地局４００）及びＳＮ（第１の基地局１００）の両方において行われる。
【００３２】
なお、上記デュアルコネクティビティがＥＮ−ＤＣである例を説明したが、本実施形態はこの例に限定されない。
【００３３】
−−ＮＧＥＮ−ＤＣ
一例として、上記デュアルコネクティビティは、ＮＧＥＮ−ＤＣ（ＮＧ−ＲＡＮ  Ｅ−ＵＴＲＡ−ＮＲ  Ｄｕａｌ  Ｃｏｎｎｅｃｔｉｖｉｔｙ）であってもよく、第１の基地局１００は、ＳＮとして動作するｇＮＢであってもよく、上記第２の基地局４００は、ＭＮとして動作するｎｇ−ｅＮＢであってもよい。この場合に、コアネットワーク１０は、５ＧＣであってもよく、第１の基地局１００と第２の基地局４００との間のインタフェース５０は、Ｘｎインタフェースであってもよい。
【００３４】
−−ＮＥ−ＤＣ
別の例として、上記デュアルコネクティビティは、ＮＥ−ＤＣ（ＮＲ−Ｅ−ＵＴＲＡ  Ｄｕａｌ  Ｃｏｎｎｅｃｔｉｖｉｔｙ）であってもよく、第１の基地局１００は、ＳＮとして動作するｎｇ−ｅＮＢであってもよく、上記第２の基地局４００は、ＭＮとして動作するｇＮＢであってもよい。この場合に、コアネットワーク１０は、５ＧＣであってもよく、第１の基地局１００と第２の基地局４００との間のインタフェース５０は、Ｘｎインタフェースであってもよい。
【００３５】
−ＮＲのみ
あるいは、上記デュアルコネクティビティは、（ＬＴＥを用いずに）ＮＲを用いるデュアルコネクティビティであってもよい。即ち、マスタノード（第２の基地局４００）及びセカンダリノード（第１の基地局１００）の両方が、ＮＲを用いて端末装置５００と通信してもよい。第１の基地局１００は、ＳＮとして動作するｇＮＢであってもよく、上記第２の基地局４００は、ＭＮとして動作するｇＮＢであってもよい。この場合に、コアネットワーク１０は、５ＧＣであってもよく、第１の基地局１００と第２の基地局４００との間のインタフェース５０は、Ｘｎインタフェースであってもよい。
【００３６】
なお、第１の基地局１００は、第１のオペレータの基地局であってもよく、第２の基地局４００は、当該第１のオペレータとは異なる第２のオペレータの基地局であってもよい。即ち、上記デュアルコネクティビティは、オペレータ間でのデュアルコネクティビティであってもよい。
【００３７】
（４）第１の基地局の分割（Ｓｐｌｉｔ）
例えば、第１の基地局１００は、中央ユニット（ＣＵ：Ｃｅｎｔｒａｌ  Ｕｎｉｔ）及び１つ以上の分散ユニット（ＤＵ：Ｄｉｓｔｒｉｂｕｔｅｄ  Ｕｎｉｔ）を含む。
【００３８】
図３は、本実施形態に係る第１の基地局１００の分割（Ｓｐｌｉｔ）の例を説明するための説明図である。図３を参照すると、第１の基地局１００に含まれる中央ユニット（ＣＵ）２００及び分散ユニット（ＤＵ）３００が示されている。ＣＵ２００及び各ＤＵ３００は、インタフェース６０を介して互いに通信する。この例では、２つのＤＵ３００が示されているが、第１の基地局１００は、３つ以上のＤＵ３００を含んでもよく、１つのＤＵ３００のみを含んでもよい。
【００３９】
例えば、基地局の分割として、Ｈｉｇｈｅｒ  Ｌａｙｅｒ  ＳｐｌｉｔとＬｏｗｅｒ  Ｌａｙｅｒ  Ｓｐｌｉｔとがある。後述の第１の実施形態は、Ｈｉｇｈｅｒ  Ｌａｙｅｒ  Ｓｐｌｉｔの実施形態であり、後述の第２の実施形態は、Ｌｏｗｅｒ  Ｌａｙｅｒ  Ｓｐｌｉｔの実施形態である。
【００４０】
さらに、中央ユニット（ＣＵ）２００は、制御プレーンのための第１の中央ユニットと、ユーザプレーンのための第２の中央ユニットとを含んでもよい。上記第１の中央ユニットは、ＣＵ−ＣＰと呼ばれてもよく、上記第２の中央ユニットは、ＣＵ−ＵＰと呼ばれてもよい。後述の第３の実施形態は、このようにＣＵ２００が分割されるケースに特に着目した実施形態である。
【００４１】
あるいは、ＣＵ２００は、制御プレーンのための第１の中央ユニット（ＣＵ−ＣＰ）、又は、ユーザプレーンのための第２の中央ユニット（ＣＵ−ＵＰ）であってもよい。
【００４２】
＜＜＜２．第１の実施形態＞＞＞
続いて、図４〜図１９を参照して、本発明の第１の実施形態を説明する。
【００４３】
＜＜２．１．第１の基地局の分割＞＞
まず、図４及び図５を参照して、第１の実施形態に係る第１の基地局１００の分割を説明する。
【００４４】
第１の実施形態では、第１の基地局１００は、中央ユニット２００と、ＲＬＣレイヤ及びＭＡＣレイヤの処理を実行する分散ユニットとを含む。即ち、第１の実施形態では、第１の基地局１００は、Ｈｉｇｈｅｒ  Ｌａｙｅｒ  Ｓｐｌｉｔにより分割（Ｓｐｌｉｔ）される。
【００４５】
図４は、第１の実施形態に係る第１の基地局１００の分割の例を説明するための説明図である。図４を参照すると、第１の基地局１００に含まれるＣＵ２００及びＤＵ３００が示されている。ＰＤＣＰレイヤは、ＣＵ２００に位置し、ＲＬＣレイヤ、ＭＡＣレイヤ及び物理（ＰＨＹ）レイヤは、ＤＵ３００に位置する。即ち、ＣＵ２００は、ＰＤＣＰレイヤの処理を実行し、ＤＵ３００は、ＲＬＣレイヤ、ＭＡＣレイヤ及びＰＨＹレイヤの処理を実行する。この場合に、インタフェース６０は、Ｆ１インタフェースである。
【００４６】
図４を参照して、ＣＵ２００にＰＤＣＰレイヤが位置する例を説明したが、特にＮＧＥＮ−ＤＣやＮＥ−ＤＣの場合には、ＣＵ２００にＳＤＡＰ（Ｓｅｒｖｉｃｅ  Ｄａｔａ  Ａｄａｐｔａｔｉｏｎ  Ｐｒｏｔｏｃｏｌ）レイヤが位置していてもよい。
【００４７】
このようなＨｉｇｈｅｒ  Ｌａｙｅｒ  Ｓｐｌｉｔの場合に、ＭＮ  Ｔｅｒｍｉｎａｔｅｄ  ｂｅａｒｅｒを通じてＳＮ（第１の基地局１００）と端末装置５００との間で伝達されるデータは、ＳＮのＣＵ２００を経由して、ＭＮ（第２の基地局４００）とＳＮのＤＵ３００との間で伝達されてもよい（第１の例）。あるいは、当該データは、ＳＮのＣＵ２００を経由せずに、ＭＮ（第２の基地局４００）とＳＮのＤＵ３００との間で直接的に伝達されてもよい（第２の例）。
【００４８】
図５は、第１の実施形態に係るＭＮ  Ｔｅｒｍｉｎａｔｅｄ  ｂｅａｒｅｒについてのデータルートの例を説明するための説明図である。図５を参照すると、第１の基地局１００に含まれるＣＵ２００及びＤＵ３００と、第２の基地局４００とが示されている。第１の例として、ＭＮ  Ｔｅｒｍｉｎａｔｅｄ  ｂｅａｒｅｒを通じてＳＮ（第１の基地局１００）と端末装置５００との間で伝達されるデータは、ＣＵ２００を経由して、ＭＮ（第２の基地局４００）とＳＮのＤＵ３００との間で伝達されてもよい。即ち、当該データは、インタフェース５０（例えばＸ２−Ｕ）及びインタフェース６０（例えばＦ１−Ｕ）を介してルート７０で伝達されてもよい。第２の例として、上記データは、ＣＵ２００を経由せずに、ＭＮ（第２の基地局４００）とＳＮのＤＵ３００との間で直接的に伝達されてもよい。即ち、上記データは、ルート８０で伝達されてもよい。
【００４９】
なお、第１の基地局１００の分割の例を説明したが、第２の基地局４００も第１の基地局１００と同様に分割されてもよい。あるいは、第２の基地局４００には、第１の基地局１００の分割（Ｈｉｇｈｅｒ  Ｌａｙｅｒ  Ｓｐｌｉｔ）とは異なる分割（例えばＬｏｗｅｒ  Ｌａｙｅｒ  Ｓｐｌｉｔ）が適用されてもよい。
【００５０】
第１の実施形態において、例えば、ＣＵ２００は、制御プレーン（ＣＰ）及びユーザプレーン（ＵＰ）の両方のための中央ユニットである。この場合に、ＣＵ２００は、単一のユニットであってもよい。あるいは、ＣＵ２００は、制御プレーンのための第１の中央ユニットであるＣＵ−ＣＰと、ユーザプレーンのための第２の中央ユニットであるＣＵ−ＵＰとを含んでもよい。
【００５１】
あるいは、第１の実施形態において、ＣＵ２００は、制御プレーンのための第１の中央ユニットであるＣＵ−ＣＰであってもよい。この場合に、第１の基地局１００は、ＣＵ−ＣＰ（ＣＵ２００）の他に、ユーザプレーンのための第２の中央ユニットであるＣＵ−ＵＰを含んでもよい。
【００５２】
＜＜２．２．各ノードの構成＞＞
次に、図６〜図９を参照して、各ノードの構成を説明する。
【００５３】
＜２．２．１．中央ユニット（ＣＵ）の構成＞
図６は、第１の実施形態に係るＣＵ２００の概略的な構成の例を示すブロック図である。図６を参照すると、ＣＵ２００は、第１ネットワーク通信部２１０、第２ネットワーク通信部２２０、記憶部２３０及び処理部２４０を備える。
【００５４】
（１）第１ネットワーク通信部２１０
第１ネットワーク通信部２１０は、ＤＵ３００からの信号を受信し、ＤＵ３００への信号を送信する。
【００５５】
（２）第２ネットワーク通信部２２０
第２ネットワーク通信部２２０は、第２の基地局４００からの信号を受信し、第２の基地局４００への信号を送信する。
【００５６】
第２ネットワーク通信部２２０は、コアネットワーク１０からの信号を受信してもよく、コアネットワーク１０への信号を送信してもよい。
【００５７】
（３）記憶部２３０
記憶部２３０は、ＣＵ２００の動作のためのプログラム（命令）及びパラメータ、並びに様々なデータを、一時的に又は恒久的に記憶する。当該プログラムは、ＣＵ２００の動作のための１つ以上の命令を含む。
【００５８】
（４）処理部２４０
処理部２４０は、ＣＵ２００の様々な機能を提供する。処理部２４０は、第１通信処理部２４１及び第２通信処理部２４３を含む。なお、処理部２４０は、これらの構成要素以外の他の構成要素をさらに含み得る。即ち、処理部２４０は、これらの構成要素の動作以外の動作も行い得る。
【００５９】
例えば、処理部２４０（第１通信処理部２４１）は、第１ネットワーク通信部２１０を介してＤＵ３００と通信する。例えば、処理部２４０（第２通信処理部２４３）は、第２ネットワーク通信部２２０を介して第２の基地局４００（又はコアネットワーク１０）と通信する。
【００６０】
（５）実装例
第１ネットワーク通信部２１０及び第２ネットワーク通信部２２０の各々は、ネットワークアダプタ並びに／又はネットワークインタフェースカード等により実装されてもよい。記憶部２３０は、メモリ（例えば、不揮発性メモリ及び／若しくは揮発性メモリ）並びに／又はハードディスク等により実装されてもよい。処理部２４０は、ベースバンド（Baseband：ＢＢ）プロセッサ及び／又は他の種類のプロセッサ等の１つ以上のプロセッサにより実装されてもよい。第１通信処理部２４１及び第２通信処理部２４３は、同一のプロセッサにより実装されてもよく、別々に異なるプロセッサにより実装されてもよい。上記メモリ（記憶部２３０）は、上記１つ以上のプロセッサ内に含まれていてもよく、又は、上記１つ以上のプロセッサ外にあってもよい。
【００６１】
ＣＵ２００は、プログラム（命令）を記憶するメモリと、当該プログラム（命令）を実行可能な１つ以上のプロセッサとを含んでもよい。当該１つ以上のプロセッサは、上記プログラムを実行して、処理部２４０の動作（第１通信処理部２４１及び／又は第２通信処理部２４３の動作）を行ってもよい。上記プログラムは、処理部２４０の動作（第１通信処理部２４１及び／又は第２通信処理部２４３の動作）をプロセッサに実行させるためのプログラムであってもよい。
【００６２】
なお、ＣＵ２００は、仮想化されていてもよい。即ち、ＣＵ２００は、仮想マシンとして実装されてもよい。この場合に、ＣＵ２００（仮想マシン）は、プロセッサ及びメモリ等を含む物理マシン（ハードウェア）及びハイパーバイザ上で仮想マシンとして動作してもよい。
【００６３】
＜２．２．２．分散ユニット（ＤＵ）の構成＞
図７は、第１の実施形態に係るＤＵ３００の概略的な構成の例を示すブロック図である。図７を参照すると、ＤＵ３００は、無線通信部３１０、ネットワーク通信部３２０、記憶部３３０及び処理部３４０を備える。
【００６４】
（１）無線通信部３１０
無線通信部３１０は、信号を無線で送受信する。例えば、無線通信部３１０は、端末装置５００からの信号を受信し、端末装置５００への信号を送信する。
【００６５】
（２）ネットワーク通信部３２０
ネットワーク通信部３２０は、ＣＵ２００からの信号を受信し、ＣＵ２００への信号を送信する。ネットワーク通信部３２０は、他のノード（例えば第２の基地局４００）からの信号を受信してもよく、当該他のノードへの信号を送信してもよい。
【００６６】
（３）記憶部３３０
記憶部３３０は、ＤＵ３００の動作のためのプログラム（命令）及びパラメータ、並びに様々なデータを、一時的に又は恒久的に記憶する。当該プログラムは、ＤＵ３００の動作のための１つ以上の命令を含む。
【００６７】
（４）処理部３４０
処理部３４０は、ＤＵ３００の様々な機能を提供する。処理部３４０は、第１通信処理部３４１、第２通信処理部３４３及びカウント部３４５を含む。カウント部３４５は、測定部３４５と呼ばれてもよい。なお、処理部３４０は、これらの構成要素以外の他の構成要素をさらに含み得る。即ち、処理部３４０は、これらの構成要素の動作以外の動作も行い得る。
【００６８】
例えば、処理部３４０（第１通信処理部３４１）は、無線通信部３１０を介して端末装置５００と通信する。例えば、処理部３４０（第２通信処理部３４３）は、ネットワーク通信部３２０を介してＣＵ２００（又は第２の基地局４００）と通信する。
【００６９】
（５）実装例
無線通信部３１０は、アンテナ及び高周波（Radio  Frequency：ＲＦ）回路等により実装されてもよく、当該アンテナは、指向性アンテナであってもよい。ネットワーク通信部３２０は、ネットワークアダプタ並びに／又はネットワークインタフェースカード等により実装されてもよい。記憶部３３０は、メモリ（例えば、不揮発性メモリ及び／若しくは揮発性メモリ）並びに／又はハードディスク等により実装されてもよい。処理部３４０は、ベースバンド（ＢＢ）プロセッサ及び／又は他の種類のプロセッサ等の１つ以上のプロセッサにより実装されてもよい。第１通信処理部３４１、第２通信処理部３４３及びカウント部３４５は、同一のプロセッサにより実装されてもよく、別々に異なるプロセッサにより実装されてもよい。上記メモリ（記憶部３３０）は、上記１つ以上のプロセッサ内に含まれていてもよく、又は、上記１つ以上のプロセッサ外にあってもよい。
【００７０】
ＤＵ３００は、プログラム（命令）を記憶するメモリと、当該プログラム（命令）を実行可能な１つ以上のプロセッサとを含んでもよい。当該１つ以上のプロセッサは、上記プログラムを実行して、処理部３４０の動作（第１通信処理部３４１、第２通信処理部３４３及び／又はカウント部３４５の動作）を行ってもよい。上記プログラムは、処理部３４０の動作（第１通信処理部３４１、第２通信処理部３４３及び／又はカウント部３４５の動作）をプロセッサに実行させるためのプログラムであってもよい。
【００７１】
なお、ＤＵ３００は、仮想化されていてもよい。即ち、ＤＵ３００は、仮想マシンとして実装されてもよい。この場合に、ＤＵ３００（仮想マシン）は、プロセッサ及びメモリ等を含む物理マシン（ハードウェア）及びハイパーバイザ上で仮想マシンとして動作してもよい。
【００７２】
＜２．２．３．第２の基地局の構成＞
図８は、第１の実施形態に係る第２の基地局４００の概略的な構成の例を示すブロック図である。図８を参照すると、第２の基地局４００は、無線通信部４１０、ネットワーク通信部４２０、記憶部４３０及び処理部４４０を備える。
【００７３】
（１）無線通信部４１０
無線通信部４１０は、信号を無線で送受信する。例えば、無線通信部４１０は、端末装置５００からの信号を受信し、端末装置５００への信号を送信する。
【００７４】
（２）ネットワーク通信部４２０
ネットワーク通信部４２０は、第１の基地局１００又はコアネットワーク１０からの信号を受信し、第１の基地局１００又はコアネットワーク１０への信号を送信する。
【００７５】
（３）記憶部４３０
記憶部４３０は、第２の基地局４００の動作のためのプログラム（命令）及びパラメータ、並びに様々なデータを、一時的に又は恒久的に記憶する。当該プログラムは、第２の基地局４００の動作のための１つ以上の命令を含む。
【００７６】
（４）処理部４４０
処理部４４０は、第２の基地局４００の様々な機能を提供する。処理部４４０は、第１通信処理部４４１及び第２通信処理部４４３を含む。なお、処理部４４０は、これらの構成要素以外の他の構成要素をさらに含み得る。即ち、処理部４４０は、これらの構成要素の動作以外の動作も行い得る。
【００７７】
例えば、処理部４４０（第１通信処理部４４１）は、無線通信部４１０を介して端末装置５００と通信する。例えば、処理部４４０（第２通信処理部４４３）は、ネットワーク通信部４２０を介して第１の基地局１００又はコアネットワーク１０と通信する。
【００７８】
（５）実装例
無線通信部４１０は、アンテナ及び高周波（ＲＦ）回路等により実装されてもよく、当該アンテナは、指向性アンテナであってもよい。ネットワーク通信部４２０は、ネットワークアダプタ並びに／又はネットワークインタフェースカード等により実装されてもよい。記憶部４３０は、メモリ（例えば、不揮発性メモリ及び／若しくは揮発性メモリ）並びに／又はハードディスク等により実装されてもよい。処理部４４０は、ベースバンド（ＢＢ）プロセッサ及び／又は他の種類のプロセッサ等の１つ以上のプロセッサにより実装されてもよい。第１通信処理部４４１及び第２通信処理部４４３は、同一のプロセッサにより実装されてもよく、別々に異なるプロセッサにより実装されてもよい。上記メモリ（記憶部４３０）は、上記１つ以上のプロセッサ内に含まれていてもよく、又は、上記１つ以上のプロセッサ外にあってもよい。
【００７９】
第２の基地局４００は、プログラム（命令）を記憶するメモリと、当該プログラム（命令）を実行可能な１つ以上のプロセッサとを含んでもよい。当該１つ以上のプロセッサは、上記プログラムを実行して、処理部４４０の動作（第１通信処理部４４１及び／又は第２通信処理部４４３の動作）を行ってもよい。上記プログラムは、処理部４４０の動作（第１通信処理部４４１及び／又は第２通信処理部４４３の動作）をプロセッサに実行させるためのプログラムであってもよい。
【００８０】
第２の基地局４００は、中央ユニット（ＣＵ）及び分散ユニット（ＤＵ）を含んでもよい。当該ＣＵが、ネットワーク通信部４２０及び第２通信処理部４４３を含んでもよく、当該ＤＵが、無線通信部４１０及び第１通信処理部４４１を含んでもよい。
【００８１】
なお、第２の基地局４００（又は第２の基地局４００の一部であるＣＵ若しくはＤＵ）は、仮想化されていてもよい。即ち、第２の基地局４００（又は第２の基地局４００の一部であるＣＵ若しくはＤＵ）は、仮想マシンとして実装されてもよい。この場合に、第２の基地局４００（又は第２の基地局４００の一部であるＣＵ若しくはＤＵ）（仮想マシン）は、プロセッサ及びメモリ等を含む物理マシン（ハードウェア）及びハイパーバイザ上で仮想マシンとして動作してもよい。
【００８２】
＜２．２．４．端末装置の構成＞
図９は、第１の実施形態に係る端末装置５００の概略的な構成の例を示すブロック図である。図９を参照すると、端末装置５００は、第１無線通信部５１０、第２無線通信部５２０、記憶部５３０及び処理部５４０を備える。
【００８３】
（１）第１無線通信部５１０
第１無線通信部５１０は、信号を無線で送受信する。例えば、第１無線通信部５１０は、第１の基地局１００からの信号を受信し、第１の基地局１００への信号を送信する。
【００８４】
（２）第２無線通信部５２０
第２無線通信部５２０は、信号を無線で送受信する。例えば、第２無線通信部５２０は、第２の基地局４００からの信号を受信し、第２の基地局４００への信号を送信する。
【００８５】
（３）記憶部５３０
記憶部５３０は、端末装置５００の動作のためのプログラム（命令）及びパラメータ、並びに様々なデータを、一時的に又は恒久的に記憶する。当該プログラムは、端末装置５００の動作のための１つ以上の命令を含む。
【００８６】
（４）処理部５４０
処理部５４０は、端末装置５００の様々な機能を提供する。処理部５４０は、第１通信処理部５４１及び第２通信処理部５４３を含む。なお、処理部５４０は、これらの構成要素以外の他の構成要素をさらに含み得る。即ち、処理部５４０は、これらの構成要素の動作以外の動作も行い得る。
【００８７】
例えば、処理部５４０（第１通信処理部５４１）は、第１無線通信部５１０を介して第１の基地局１００と通信する。例えば、処理部５４０（第２通信処理部５４３）は、第２無線通信部５２０を介して第２の基地局４００と通信する。
【００８８】
（５）実装例
第１無線通信部５１０及び第２無線通信部５２０の各々は、アンテナ及び高周波（ＲＦ）回路等により実装されてもよい。記憶部５３０は、メモリ（例えば、不揮発性メモリ及び／若しくは揮発性メモリ）並びに／又はハードディスク等により実装されてもよい。処理部５４０は、ベースバンド（ＢＢ）プロセッサ及び／又は他の種類のプロセッサ等の１つ以上のプロセッサにより実装されてもよい。第１通信処理部５４１及び第２通信処理部５４３は、同一のプロセッサにより実装されてもよく、別々に異なるプロセッサにより実装されてもよい。上記メモリ（記憶部５３０）は、上記１つ以上のプロセッサ内に含まれていてもよく、又は、上記１つ以上のプロセッサ外にあってもよい。一例として、処理部５４０は、ＳｏＣ（System  on  Chip）内で実装されてもよい。
【００８９】
端末装置５００は、プログラム（命令）を記憶するメモリと、当該プログラム（命令）を実行可能な１つ以上のプロセッサとを含んでもよい。当該１つ以上のプロセッサは、上記プログラムを実行して、処理部５４０の動作（第１通信処理部５４１及び／又は第２通信処理部５４３の動作）を行ってもよい。上記プログラムは、処理部５４０の動作（第１通信処理部５４１及び／又は第２通信処理部５４３の動作）をプロセッサに実行させるためのプログラムであってもよい。
【００９０】
＜＜２．３．技術的特徴＞＞
次に、図１０〜図１７を参照して、第１の実施形態に係る技術的特徴の例を説明する。
【００９１】
（１）データ量のカウント
例えば、第１の基地局１００は、少なくともＮＲを用いるデュアルコネクティビティのセカンダリノード（ＳＮ）として端末装置５００のために動作する。この場合に、第１の基地局１００は、第１の基地局１００と端末装置５００との間で伝達されるデータの量を、ＲＬＣレイヤ又はＭＡＣレイヤにおいてカウントする。
【００９２】
とりわけ第１の実施形態では、上述したように、ＤＵ３００（カウント部３４５）が、ＲＬＣレイヤ及びＭＡＣレイヤの処理を実行するので、ＤＵ３００（カウント部３４５）が、ＲＬＣレイヤ又はＭＡＣレイヤにおいて上記データ量をカウントする。
【００９３】
なお、「カウントする」という文言は、「測定する」という文言と置き換えられてもよい。
【００９４】
−ＲＬＣ／ＭＡＣ
具体的には、例えば、ＤＵ３００は、ＲＬＣ又はＭＡＣのパケットのデータ量をカウントする。例えば、当該パケットは、ＲＬＣ又はＭＡＣのサービスデータユニット（ＳＤＵ）であってもよい。あるいは、上記パケットは、ＲＬＣ又はＭＡＣのプロトコルデータユニット（ＰＤＵ）であってもよい。
【００９５】
−カウントされるデータ
例えば、カウントされる上記データは、上記デュアルコネクティビティの上記セカンダリノード（ＳＮ）（即ち第１の基地局１００）で終端する少なくとも１つの無線ベアラを通じて第１の基地局１００と端末装置５００との間で伝達される第１のデータを含む。また、例えば、カウントされる上記データは、上記デュアルコネクティビティのマスタノード（ＭＮ）（即ち第２の基地局４００）で終端する少なくとも１つの無線ベアラを通じて第１の基地局１００と端末装置５００との間で伝達される第２のデータをさらに含む。
【００９６】
例えば、上記ＳＮ（第１の基地局１００）で終端する上記少なくとも１つの無線ベアラは、ＳＮ  Ｔｅｒｍｉｎａｔｅｄ  ｂｅａｒｅｒを含み、上記ＭＮ（第２の基地局４００）で終端する上記少なくとも１つの無線ベアラは、ＭＮ  Ｔｅｒｍｉｎａｔｅｄ  ｂｅａｒｅｒを含む。より具体的には、例えば、上記第１のデータは、上記ＳＮ  Ｔｅｒｍｉｎａｔｅｄ  ｂｅａｒｅｒのうちのＳｐｌｉｔ  ｂｅａｒｅｒ及びＳＣＧ  ｂｅａｒｅｒを通じて第１の基地局１００と端末装置５００との間で伝達されるデータである。また、上記第２のデータは、上記ＭＮ  Ｔｅｒｍｉｎａｔｅｄ  ｂｅａｒｅｒのうちのＳｐｌｉｔ  ｂｅａｒｅｒ及びＳＣＧ  ｂｅａｒｅｒを通じて第１の基地局１００と端末装置５００との間で伝達されるデータである。
【００９７】
−ベアラ／ＱｏＳフロー
例えば、データ量のカウントは、ベアラごとに行われる。ここでのベアラは、無線ベアラ（ＲＢ）（例えば、データ無線ベアラ（ＤＲＢ））であってもよく、無線アクセスベアラ（ＲＡＢ）であってもよい。あるいは、データ量のカウントは、ＱｏＳフローごとに行われてもよい。
【００９８】
これにより、例えば、様々な無線ベアラに起因してデータの処理ルートが複雑であったとしても、ＳＮはベアラによらずデータ量をカウントすることが可能になる。そのため、ＳＮは、データ量をＭＮに報告することができる。
【００９９】
（２）ＤＵによるデータ量情報の送信
例えば、ＤＵ３００（第２通信処理部３４３）は、（カウントされた）上記データの上記量を示すデータ量情報を送信する。
【０１００】
−送信手法
例えば、ＤＵ３００（第２通信処理部３４３）は、上記データ量情報を含むシグナリングメッセージをＣＵ２００へ送信する。例えば、ＤＵ３００（第２通信処理部３４３）は、インタフェース６０（Ｆ１インタフェース）を介して上記シグナリングメッセージをＣＵ２００へ送信する。
【０１０１】
例えば、上記シグナリングメッセージは、ＤＡＴＡ  ＵＳＡＧＥ  ＲＥＰＯＲＴメッセージである。第１の実施形態では、ＤＡＴＡ  ＵＳＡＧＥ  ＲＥＰＯＲＴメッセージは、Ｅｌｅｍｅｎｔａｒｙ  Ｐｒｏｃｅｄｕｒｅにおいて送信されてもよい。Ｅｌｅｍｅｎｔａｒｙ  Ｐｒｏｃｅｄｕｒｅとは、ｇＮＢ−ＣＵとｇＮＢ−ＤＵとの間の相互作用を表す単位である。
【０１０２】
例えば、上記データ量情報は、Ｕｓａｇｅ  ｃｏｕｎｔ  ＩＥ（Ｉｎｆｏｒｍａｔｉｏｎ  Ｅｌｅｍｅｎｔ）であり、より具体的には、Ｕｓａｇｅ  ｃｏｕｎｔ  ＵＬ  ＩＥ及びＵｓａｇｅ  ｃｏｕｎｔ  ＤＬ  ＩＥである。Ｕｓａｇｅ  ｃｏｕｎｔ  ＵＬ及びＵｓａｇｅ  ｃｏｕｎｔ  ＤＬは、それぞれＤａｔａ  Ｕｓａｇｅ  ＵＬ及びＤａｔａ  Ｕｓａｇｅ  ＤＬと呼ばれてもよい。上記データ量情報は、ｄａｔａ  ｕｓａｇｅ  ｖｏｌｕｍｅであってもよい。
【０１０３】
図１０、図１１及び図１２は、第１の実施形態に係るＤＡＴＡ  ＵＳＡＧＥ  ＲＥＰＯＲＴメッセージの例を説明するための説明図である。図１０には、ＤＡＴＡ  ＵＳＡＧＥ  ＲＥＰＯＲＴメッセージの内容が示されており、ＤＡＴＡ  ＵＳＡＧＥ  ＲＥＰＯＲＴメッセージは、Ｄａｔａ  Ｕｓａｇｅ  Ｒｅｐｏｒｔ  ｌｉｓｔ（即ち、少なくともＮＲを用いるデュアルコネクティビティにおいて使用されたリソースに関する情報を提供するＩＥ）を含む。図１１には、Ｄａｔａ  Ｕｓａｇｅ  Ｒｅｐｏｒｔ  ｌｉｓｔの内容が示されており、Ｄａｔａ  Ｕｓａｇｅ  Ｒｅｐｏｒｔ  ｌｉｓｔは、Ｕｓａｇｅ  ｃｏｕｎｔ  ＵＬ  ＩＥ及びＵｓａｇｅ  ｃｏｕｎｔ  ＤＬ  ＩＥ（即ちカウントされたデータ量）を含む。なお、図１２は、図１１のための補足情報である。
【０１０４】
これにより、例えば、ＤＵ３００においてデータ量がカウントされても、当該データ量をＣＵ２００が知ることが可能になる。
【０１０５】
図１１にも示されるように、例えば、上記データ量情報は、ベアラごとの情報（ベアラごとのデータの量を示す情報）を含む。ここでのベアラは、無線ベアラ（ＲＢ）（例えば、データ無線ベアラ（ＤＲＢ））であってもよく、無線アクセスベアラ（ＲＡＢ）であってもよい。あるいは、上記データ量情報は、ＱｏＳフローごとの情報（ＱｏＳフローごとのデータの量を示す情報）を含んでもよい。
【０１０６】
−ＣＵからの指示に応じた送信
例えば、ＤＵ３００（第２通信処理部３４３）は、ＣＵ２００からの指示に応じて、上記データ量情報を送信する。
【０１０７】
具体的には、例えば、ＣＵ２００（第１通信処理部２４１）は、上記データ量情報の送信の指示を含むシグナリングメッセージをＤＵ３００へ送信する。そして、ＤＵ３００（第２通信処理部３４３）は、当該シグナリングメッセージに応じて、上記データ量情報を送信する。
【０１０８】
例えば、上記シグナリングメッセージは、ＵＥ  ＣＯＮＴＥＸＴ  ＳＥＴＵＰ  ＲＥＱＵＥＳＴメッセージ、又はＵＥ  ＣＯＮＴＥＸＴ  ＭＯＤＩＦＩＣＡＴＩＯＮ  ＲＥＱＵＥＳＴメッセージである。例えば、上記指示は、Ｄａｔａ  Ｕｓａｇｅ  ｒｅｐｏｒｔ  Ｉｎｄｉｃａｔｉｏｎ  ＩＥである。
【０１０９】
図１３は、第１の実施形態に係るＵＥ  ＣＯＮＴＥＸＴ  ＳＥＴＵＰ  ＲＥＱＵＥＳＴメッセージの例を説明するための説明図であり、図１４は、第１の実施形態に係るＵＥ  ＣＯＮＴＥＸＴ  ＭＯＤＩＦＩＣＡＴＩＯＮ  ＲＥＱＵＥＳＴメッセージの例を説明するための説明図である。図１３及び図１４を参照すると、ＵＥ  ＣＯＮＴＥＸＴ  ＳＥＴＵＰ  ＲＥＱＵＥＳＴメッセージ及びＵＥ  ＣＯＮＴＥＸＴ  ＭＯＤＩＦＩＣＡＴＩＯＮ  ＲＥＱＵＥＳＴメッセージの各々（即ちシグナリングメッセージ）は、Ｄａｔａ  Ｕｓａｇｅ  ｒｅｐｏｒｔ  Ｉｎｄｉｃａｔｉｏｎ  ＩＥ（データ量情報の送信の指示）を含む。Ｄａｔａ  Ｕｓａｇｅ  ｒｅｐｏｒｔ  Ｉｎｄｉｃａｔｉｏｎ  ＩＥ（データ量情報の送信の指示）は、Ｂｏｏｌｅａｎ値であり、例えばＴＲＵＥであれば、データ量情報を含むシグナリングメッセージが求められていることを示す。
【０１１０】
これにより、例えば、ＣＵ２００においてＤＵ３００によるデータ量情報の報告の制御が可能になる。
【０１１１】
なお、ＤＵ３００（第２通信処理部３４３）は、ＣＵ２００からの指示（データ量情報の送信の指示）を受信しなくてもよく、ＣＵ２００からの当該指示なしに上記データ量情報を送信してもよい。この場合に、上記データ量情報の送信（即ち、データ量の報告）を行うか否か、及び、上記データ量情報の送信（即ち、データ量の報告）のタイミング等が、ＯＡＭ（Ｏｐｅｒａｔｉｏｎｓ,  Ａｄｍｉｎｉｓｔｒａｔｉｏｎ  ａｎｄ  Ｍａｉｎｔｅｎａｎｃｅ）によって設定されてもよい。
【０１１２】
（３）ＣＵによるデータ量情報の送信
例えば、ＣＵ２００（第１通信処理部２４１）は、上記データ量情報をＤＵ３００から受信する。具体的には、ＣＵ２００（第１通信処理部２４１）は、上記データ量情報を含む上記シグナリングメッセージをＤＵ３００から受信する。
【０１１３】
例えば、ＣＵ２００（第２通信処理部２４３）は、上記データ量情報が用いられたメッセージを第２の基地局４００へ送信する。
【０１１４】
例えば、上記メッセージは、上記データ量情報を含む。あるいは、上記メッセージは、受信される上記データ量情報に基づいて（ＣＵ２００により）生成された別のデータ量情報（例えば集約（ａｇｇｒｅｇａｔｅ）されたデータ量情報）を含んでもよい。
【０１１５】
例えば、上記デュアルコネクティビティは、ＥＮ−ＤＣであり、第１の基地局１００と第２の基地局４００との間のインタフェース５０は、Ｘ２インタフェースであり、上記メッセージは、Ｘ２メッセージである。より具体的には、例えば、上記メッセージは、Ｓｅｃｏｎｄａｒｙ  ＲＡＴ  Ｄａｔａ  Ｕｓａｇｅ  Ｒｅｐｏｒｔメッセージである。
【０１１６】
図１５及び図１６は、第１の実施形態に係るＳＥＣＯＮＤＡＲＹ  ＲＡＴ  ＤＡＴＡ  ＵＳＡＧＥ  ＲＥＰＯＲＴメッセージの例を説明するための説明図である。図１５には、ＳＥＣＯＮＤＡＲＹ  ＲＡＴ  ＤＡＴＡ  ＵＳＡＧＥ  ＲＥＰＯＲＴメッセージの内容が示されており、ＳＥＣＯＮＤＡＲＹ  ＲＡＴ  ＤＡＴＡ  ＵＳＡＧＥ  ＲＥＰＯＲＴメッセージは、Ｓｅｃｏｎｄａｒｙ  ＲＡＴ  Ｕｓａｇｅ  Ｒｅｐｏｒｔ  ｌｉｓｔを含む。図１６には、Ｓｅｃｏｎｄａｒｙ  ＲＡＴ  Ｕｓａｇｅ  Ｒｅｐｏｒｔ  ｌｉｓｔの内容が示されており、Ｓｅｃｏｎｄａｒｙ  ＲＡＴ  Ｕｓａｇｅ  Ｒｅｐｏｒｔ  ｌｉｓｔは、Ｕｓａｇｅ  ｃｏｕｎｔ  ＵＬ  ＩＥ及びＵｓａｇｅ  ｃｏｕｎｔ  ＤＬ  ＩＥ（即ちカウントされたデータ量）を含む。
【０１１７】
（４）第２の基地局によるデータ量情報の送信
例えば、第２の基地局４００（第１通信処理部４４１）は、上記データ量情報が用いられた上記メッセージ（例えば上記データ量情報を含む上記メッセージ）を第１の基地局１００（ＣＵ２００）から受信する。
【０１１８】
例えば、第２の基地局４００（第２通信処理部４４３）は、さらに、上記データ量情報が用いられたメッセージをコアネットワーク１０へ送信する。
【０１１９】
例えば、コアネットワーク１０へ送信される上記メッセージは、上記データ量情報を含む。あるいは、コアネットワーク１０へ送信される上記メッセージは、上記データ量情報に基づいて（ＣＵ２００及び／又は第２の基地局４００により）生成された別のデータ量情報（例えば集約（ａｇｇｒｅｇａｔｅ）されたデータ量情報）を含んでもよい。
【０１２０】
例えば、上記デュアルコネクティビティは、ＥＮ−ＤＣであり、第２の基地局４００とコアネットワーク１０との間のインタフェース４０は、Ｓ１インタフェースであり、上記メッセージは、Ｓ１メッセージである。より具体的には、例えば、上記メッセージは、ＳＥＣＯＮＤＡＲＹ  ＲＡＴ  ＲＥＰＯＲＴメッセージであり、Ｕｓａｇｅ  ｃｏｕｎｔ  ＵＬ  ＩＥ及びＵｓａｇｅ  ｃｏｕｎｔ  ＤＬ  ＩＥ（即ちカウントされたデータ量）を含む。
【０１２１】
（５）処理の流れ
図１７は、第１の実施形態に係る処理の概略的な流れの例を説明するためのシーケンス図である。
【０１２２】
ＣＵ２００は、Ｄａｔａ  Ｕｓａｇｅ  ｒｅｐｏｒｔ  Ｉｎｄｉｃａｔｉｏｎ  ＩＥ（データ量情報の送信の指示）を含むＵＥ  ＣＯＮＴＥＸＴ  ＳＥＴＵＰ  ＲＥＱＵＥＳＴメッセージ又はＵＥ  ＣＯＮＴＥＸＴ  ＭＯＤＩＦＩＣＡＴＩＯＮ  ＲＥＱＵＥＳＴメッセージをＤＵ３００へ送信する（Ｓ６０１）。
【０１２３】
ＤＵ３００は、第１の基地局１００（ＳＮ）と端末装置５００との間で伝達されるデータの量を、ＲＬＣレイヤ又はＭＡＣレイヤにおいてカウントする（Ｓ６０３）。
【０１２４】
ＤＵ３００は、カウントされた上記データの上記量を示すデータ量情報（Ｕｓａｇｅ  ｃｏｕｎｔ  ＵＬ  ＩＥ及びＵｓａｇｅ  ｃｏｕｎｔ  ＤＬ  ＩＥ）を含むＤＡＴＡ  ＵＳＡＧＥ  ＲＥＰＯＲＴメッセージをＣＵ２００へ送信する（Ｓ６０５）。
【０１２５】
ＣＵ２００は、上記データ量情報を用いたＳＥＣＯＮＤＡＲＹ  ＲＡＴ  ＤＡＴＡ  ＵＳＡＧＥ  ＲＥＰＯＲＴメッセージ（Ｕｓａｇｅ  ｃｏｕｎｔ  ＵＬ  ＩＥ及びＵｓａｇｅ  ｃｏｕｎｔ  ＤＬ  ＩＥを含むＳＥＣＯＮＤＡＲＹ  ＲＡＴ  ＤＡＴＡ  ＵＳＡＧＥ  ＲＥＰＯＲＴメッセージ）を第２の基地局４００へ送信する（Ｓ６０７）。
【０１２６】
なお、第２の基地局４００は、さらに、上記データ量情報を用いたＳＥＣＯＮＤＡＲＹ  ＲＡＴ  ＲＥＰＯＲＴメッセージ（Ｕｓａｇｅ  ｃｏｕｎｔ  ＵＬ  ＩＥ及びＵｓａｇｅ  ｃｏｕｎｔ  ＤＬ  ＩＥを含むＳＥＣＯＮＤＡＲＹ  ＲＡＴ  ＲＥＰＯＲＴメッセージ）をコアネットワーク１０へ送信し得る。
【０１２７】
上述した処理のステップのうち、ステップＳ６０１は省略されてもよい。即ち、上述したように、ＤＵ３００は、ＣＵ２００からの指示（データ量情報の送信の指示）（Ｄａｔａ  Ｕｓａｇｅ  ｒｅｐｏｒｔ  Ｉｎｄｉｃａｔｉｏｎ  ＩＥ）を受信しなくてもよく、ＣＵ２００からの当該指示なしに上記データ量情報を送信してもよい。
【０１２８】
＜＜２．４．変形例＞＞
次に、図１８及び図１９を参照して、第１の実施形態の変形例を説明する。以下では第１の実施形態の上述した例と当該変形例との相違点を説明する。
【０１２９】
（１）ＤＵによるデータ量情報の送信
−送信手法
第１の実施形態の上述した例では、ＤＵ３００（第２通信処理部３４３）は、上記データ量情報を含むシグナリングメッセージをＣＵ２００へ送信する。しかし、第１の実施形態はこの例に限定されない。
【０１３０】
とりわけ第１の実施形態の変形例では、ＤＵ３００（第２通信処理部３４３）は、上記データ量情報を含むユーザプレーンフレームを送信する。
【０１３１】
具体的には、例えば、ＤＵ３００（第２通信処理部３４３）は、上記デュアルコネクティビティのセカンダリノード（ＳＮ）（第１の基地局１００）で終端する少なくとも１つの無線ベアラを通じて第１の基地局１００と端末装置５００との間で伝達される第１のデータの量を示す第１のデータ量情報を含むユーザプレーンフレームを、ＣＵ２００へ送信する。例えば、上記ＳＮ（第１の基地局１００）で終端する上記少なくとも１つの無線ベアラは、ＳＮ  Ｔｅｒｍｉｎａｔｅｄ  ｂｅａｒｅｒを含む。例えば、上記第１のデータは、上記ＳＮ  Ｔｅｒｍｉｎａｔｅｄ  ｂｅａｒｅｒのうちのＳｐｌｉｔ  ｂｅａｒｅｒ及びＳＣＧ  ｂｅａｒｅｒを通じて第１の基地局１００と端末装置５００との間で伝達されるデータである。
【０１３２】
さらに、例えば、ＤＵ３００（第２通信処理部３４３）は、上記デュアルコネクティビティのマスタノード（ＭＮ）（第２の基地局４００）で終端する少なくとも１つの無線ベアラを通じて第１の基地局１００と端末装置５００との間で伝達される第２のデータの量を示す第２のデータ量情報を含むユーザプレーンフレームを、第２の基地局４００へ送信する。ＤＵ３００（第２通信処理部３４３）は、当該第２のデータ量情報を含む当該ユーザプレーンフレームを、ＣＵ２００経由で第２の基地局４００へ送信してもよく、ＣＵ２００を経由せずに第２の基地局４００へ直接送信してもよい。例えば、上記ＭＮ（第２の基地局４００）で終端する上記少なくとも１つの無線ベアラは、ＭＮ  Ｔｅｒｍｉｎａｔｅｄ  ｂｅａｒｅｒを含む。例えば、上記第２のデータは、上記ＭＮ  Ｔｅｒｍｉｎａｔｅｄ  ｂｅａｒｅｒのうちのＳｐｌｉｔ  ｂｅａｒｅｒ及びＳＣＧ  ｂｅａｒｅｒを通じて第１の基地局１００と端末装置５００との間で伝達されるデータである。
【０１３３】
例えば、上記ユーザプレーンフレームは、ＧＴＰ−Ｕ（ＧＰＲＳ  Ｔｕｎｎｅｌｉｎｇ  Ｐｒｏｔｏｃｏｌ  Ｕｓｅｒ  Ｐｌａｎｅ）のフレームである。具体的には、例えば、上記ユーザプレーンフレームは、ＤＬ  ＤＡＴＡ  ＤＥＬＩＶＥＲＹ  ＳＴＡＴＵＳフレームである。
【０１３４】
図１８は、第１の実施形態の変形例に係るＤＬ  ＤＡＴＡ  ＤＥＬＩＶＥＲＹ  ＳＴＡＴＵＳフレームの例を説明するための説明図である。図１８を参照すると、ＤＬ  ＤＡＴＡ  ＤＥＬＩＶＥＲＹ  ＳＴＡＴＵＳフレームは、Ｄａｔａ  Ｕｓａｇｅ  ＵＬ及びＤａｔａ  Ｕｓａｇｅ  ＤＬ（Ｕｓａｇｅ  ｃｏｕｎｔ  ＵＬ及びＵｓａｇｅ  ｃｏｕｎｔ  ＤＬとして言及されてもよい）を含む。
【０１３５】
ＤＬ  ＤＡＴＡ  ＤＥＬＩＶＥＲＹ  ＳＴＡＴＵＳフレームに対応するそれぞれのＮＲ  ユーザプレーンフレームに、Ｄａｔａ  Ｕｓａｇｅ  ＵＬ及びＤａｔａ  Ｕｓａｇｅ  ＤＬが含まれるか否かは、例えば、Ｄａｔａ  Ｕｓａｇｅ  Ｒｅｐｏｒｔ  ＩＥの“０”又は“１”という値で示されてもよい。当該フレームにＤａｔａ  Ｕｓａｇｅ  ＵＬ及びＤａｔａ  Ｕｓａｇｅ  ＤＬが含まれない場合にはこの値が“０”、Ｄａｔａ  Ｕｓａｇｅ  ＵＬ及びＤａｔａ  Ｕｓａｇｅ  ＤＬが含まれる場合にはこの値が“１”であってもよい。
【０１３６】
また、ＰＤＵ  Ｔｙｐｅとしては、図１８に示すＤＬ  ＤＡＴＡ  ＤＥＬＩＶＥＲＹ  ＳＴＡＴＵＳフレームのＰＤＵ  Ｔｙｐｅの他に、例えば新たにＰＤＵ  Ｔｙｐｅが定義されてもよい。
【０１３７】
（２）ＣＵによるデータ量情報の送信
例えば、ＣＵ２００（第１通信処理部２４１）は、上記第１のデータ量情報をＤＵ３００から受信する。具体的には、ＣＵ２００（第１通信処理部２４１）は、上記第１のデータ量情報を含む上記ユーザプレーンフレームをＤＵ３００から受信する。
【０１３８】
例えば、ＣＵ２００（第２通信処理部２４３）は、上記第１のデータ量情報が用いられたメッセージ（例えば、上記第１のデータ量情報を含むメッセージ）を第２の基地局４００へ送信する。
【０１３９】
このように、第１の実施形態の変形例では、上記第１のデータ量情報がＤＵ３００からＣＵ２００へ送信されるので、上記第１のデータ量情報は、ＣＵ２００が第２の基地局４００へ送信するメッセージに用いられる。一方、上記第２のデータ量情報はＤＵ３００からＣＵ２００ではなく第２の基地局４００へ送信されるので、上記第２のデータ量情報は、ＣＵ２００が第２の基地局４００へ送信する上記メッセージに用いられない。
【０１４０】
これにより、例えば、ＳＮからＭＮへ報告を必要十分な範囲に限定することが可能になる。
【０１４１】
（３）第２の基地局によるデータ量情報の送信
例えば、第２の基地局４００（第１通信処理部４４１）は、上記第１のデータ量情報が用いられたメッセージ（例えば、上記第１のデータ量情報を含むメッセージ）を第１の基地局１００（ＣＵ２００）から受信する。また、第２の基地局４００（第１通信処理部４４１）は、上記第２のデータ量情報を含むユーザプレーンフレームを第１の基地局１００（ＤＵ３００）から受信する。
【０１４２】
例えば、第２の基地局４００（第２通信処理部４４３）は、さらに、上記第１のデータ量情報及び上記第２のデータ量情報が用いられたメッセージをコアネットワーク１０へ送信する。
【０１４３】
例えば、コアネットワーク１０へ送信される上記メッセージは、上記第１のデータ量情報及び上記第２のデータ量情報を含む。あるいは、コアネットワーク１０へ送信される上記メッセージは、上記第１のデータ量情報及び上記第２のデータ量情報に基づいて（第２の基地局４００により）生成された別のデータ量情報（例えば集約（ａｇｇｒｅｇａｔｅ）されたデータ量情報）を含んでもよい。
【０１４４】
（４）処理の流れ
図１９は、第１の実施形態の変形例に係る処理の概略的な流れの例を説明するためのシーケンス図である。
【０１４５】
ＣＵ２００は、Ｄａｔａ  Ｕｓａｇｅ  ｒｅｐｏｒｔ  Ｉｎｄｉｃａｔｉｏｎ  ＩＥ（データ量情報の送信の指示）を含むＵＥ  ＣＯＮＴＥＸＴ  ＳＥＴＵＰ  ＲＥＱＵＥＳＴメッセージ又はＵＥ  ＣＯＮＴＥＸＴ  ＭＯＤＩＦＩＣＡＴＩＯＮ  ＲＥＱＵＥＳＴメッセージをＤＵ３００へ送信する（Ｓ６２１）。
【０１４６】
ＤＵ３００は、第１の基地局１００（ＳＮ）と端末装置５００との間で伝達されるデータの量を、ＲＬＣレイヤ又はＭＡＣレイヤにおいてカウントする（Ｓ６２３）。より具体的には、ＤＵ３００は、ＳＮ  Ｔｅｒｍｉｎａｔｅｄ  ｂｅａｒｅｒを通じて第１の基地局１００（ＳＮ）と端末装置５００との間で伝達される第１のデータの量をカウントし、ＭＮ  Ｔｅｒｍｉｎａｔｅｄ  ｂｅａｒｅｒを通じて第１の基地局１００（ＳＮ）と端末装置５００との間で伝達される第２のデータの量をカウントする。
【０１４７】
ＤＵ３００は、カウントされた上記第２のデータの上記量を示す第２のデータ量情報（Ｕｓａｇｅ  ｃｏｕｎｔ  ＵＬ及びＵｓａｇｅ  ｃｏｕｎｔ  ＤＬ）を含むＤＬ  ＤＡＴＡ  ＤＥＬＩＶＥＲＹ  ＳＴＡＴＵＳフレームを第２の基地局４００へ送信する（Ｓ６２５）。また、ＤＵ３００は、カウントされた上記第１のデータの上記量を示す第１のデータ量情報（Ｕｓａｇｅ  ｃｏｕｎｔ  ＵＬ及びＵｓａｇｅ  ｃｏｕｎｔ  ＤＬ）を含むＤＬ  ＤＡＴＡ  ＤＥＬＩＶＥＲＹ  ＳＴＡＴＵＳフレームをＣＵ２００へ送信する（Ｓ６２７）。
【０１４８】
ＣＵ２００は、上記第１のデータ量情報を用いたＳＥＣＯＮＤＡＲＹ  ＲＡＴ  ＤＡＴＡ  ＵＳＡＧＥ  ＲＥＰＯＲＴメッセージ（Ｕｓａｇｅ  ｃｏｕｎｔ  ＵＬ  ＩＥ及びＵｓａｇｅ  ｃｏｕｎｔ  ＤＬ  ＩＥを含むＳＥＣＯＮＤＡＲＹ  ＲＡＴ  ＤＡＴＡ  ＵＳＡＧＥ  ＲＥＰＯＲＴメッセージ）を第２の基地局４００へ送信する（Ｓ６２９）。
【０１４９】
なお、第２の基地局４００は、さらに、上記第１のデータ量情報及び上記第２のデータ量情報が用いられたＳＥＣＯＮＤＡＲＹ  ＲＡＴ  ＲＥＰＯＲＴメッセージ（Ｕｓａｇｅ  ｃｏｕｎｔ  ＵＬ  ＩＥ及びＵｓａｇｅ  ｃｏｕｎｔ  ＤＬ  ＩＥを含むＳＥＣＯＮＤＡＲＹ  ＲＡＴ  ＲＥＰＯＲＴメッセージ）をコアネットワーク１０へ送信し得る。
【０１５０】
上述した処理のステップのうち、ステップＳ６２１は省略されてもよい。即ち、上述したように、ＤＵ３００は、ＣＵ２００からの指示（データ量情報の送信の指示）（Ｄａｔａ  Ｕｓａｇｅ  ｒｅｐｏｒｔ  Ｉｎｄｉｃａｔｉｏｎ  ＩＥ）を受信しなくてもよく、ＣＵ２００からの当該指示なしに上記データ量情報を送信してもよい。
【０１５１】
＜＜＜３．第２の実施形態＞＞＞
続いて、図２０〜図２４を参照して、本発明の第２の実施形態を説明する。
【０１５２】
＜＜３．１．第１の基地局の分割＞＞
まず、図２０を参照して、第２の実施形態に係る第１の基地局１００の分割を説明する。
【０１５３】
第２の実施形態では、第１の基地局１００は、ＲＬＣレイヤ及びＭＡＣレイヤの処理を実行する中央ユニット２００と、分散ユニットとを含む。即ち、第２の実施形態では、第１の基地局１００は、Ｌｏｗｅｒ  Ｌａｙｅｒ  Ｓｐｌｉｔにより分割（Ｓｐｌｉｔ）される。
【０１５４】
図２０は、第２の実施形態に係る第１の基地局１００の分割の例を説明するための説明図である。図２０を参照すると、第１の基地局１００に含まれるＣＵ２００及びＤＵ３００が示されている。ＰＤＣＰレイヤ、ＲＬＣレイヤ、ＭＡＣレイヤ、及び物理（ＰＨＹ）レイヤ（上位部分）は、ＣＵ２００に位置し、ＰＨＹレイヤ（下位部分）は、ＤＵ３００に位置する。即ち、ＣＵ２００は、ＰＤＣＰレイヤ、ＲＬＣレイヤ、ＭＡＣレイヤ及びＰＨＹレイヤ（上位部分）の処理を実行し、ＤＵ３００は、ＰＨＹレイヤ（下位部分）の処理を実行する。
【０１５５】
なお、第１の基地局１００の分割の例を説明したが、第２の基地局４００も第１の基地局１００と同様に分割されてもよい。あるいは、第２の基地局４００には、第１の基地局１００の分割（Ｌｏｗｅｒ  Ｌａｙｅｒ  Ｓｐｌｉｔ）とは異なる分割（例えばＨｉｇｈｅｒ  Ｌａｙｅｒ  Ｓｐｌｉｔ）が適用されてもよい。
【０１５６】
＜＜３．２．各ノードの構成＞＞
次に、図２１及び図２２を参照して、各ノードの構成を説明する。
【０１５７】
なお、第２の実施形態に係る第２の基地局４００の構成は、例えば、第１の実施形態に係る第２の基地局４００の構成と同じである。また、第２の実施形態に係る端末装置５００の構成も、例えば、第１の実施形態に係る端末装置５００の構成と同じである。よって、ここでは重複する説明を省略する。
【０１５８】
＜３．２．１．中央ユニット（ＣＵ）の構成＞
図２１は、第２の実施形態に係るＣＵ２００の概略的な構成の例を示すブロック図である。図２１を参照すると、ＣＵ２００は、第１ネットワーク通信部２１０、第２ネットワーク通信部２２０、記憶部２３０及び処理部２５０を備える。
【０１５９】
第１ネットワーク通信部２１０、第２ネットワーク通信部２２０及び記憶部２３０の説明については、第１の実施形態と第２の実施形態との間で差異ない。よって、ここでは重複する説明を省略する。
【０１６０】
（１）処理部２５０
処理部２５０は、ＣＵ２００の様々な機能を提供する。処理部２５０は、第１通信処理部２５１、第２通信処理部２５３及びカウント部２５５を含む。カウント部２５５は、測定部２５５と呼ばれてもよい。なお、処理部２５０は、これらの構成要素以外の他の構成要素をさらに含み得る。即ち、処理部２５０は、これらの構成要素の動作以外の動作も行い得る。
【０１６１】
例えば、処理部２５０（第１通信処理部２５１）は、第１ネットワーク通信部２１０を介してＤＵ３００と通信する。例えば、処理部２５０（第２通信処理部２５３）は、第２ネットワーク通信部２２０を介して第２の基地局４００（又はコアネットワーク１０）と通信する。
【０１６２】
（２）実装例
処理部２５０は、ベースバンド（ＢＢ）プロセッサ及び／又は他の種類のプロセッサ等の１つ以上のプロセッサにより実装されてもよい。第１通信処理部２５１、第２通信処理部２５３及びカウント部２５５は、同一のプロセッサにより実装されてもよく、別々に異なるプロセッサにより実装されてもよい。メモリ（記憶部２３０）は、上記１つ以上のプロセッサ内に含まれていてもよく、又は、上記１つ以上のプロセッサ外にあってもよい。
【０１６３】
ＣＵ２００は、プログラム（命令）を記憶するメモリと、当該プログラム（命令）を実行可能な１つ以上のプロセッサとを含んでもよい。当該１つ以上のプロセッサは、上記プログラムを実行して、処理部２５０の動作（第１通信処理部２５１、第２通信処理部２５３及び／又はカウント部２５５の動作）を行ってもよい。上記プログラムは、処理部２５０の動作（第１通信処理部２５１、第２通信処理部２５３及び／又はカウント部２５５の動作）をプロセッサに実行させるためのプログラムであってもよい。
【０１６４】
なお、ＣＵ２００は、仮想化されていてもよい。即ち、ＣＵ２００は、仮想マシンとして実装されてもよい。この場合に、ＣＵ２００（仮想マシン）は、プロセッサ及びメモリ等を含む物理マシン（ハードウェア）及びハイパーバイザ上で仮想マシンとして動作してもよい。
【０１６５】
＜３．２．２．分散ユニット（ＤＵ）の構成＞
図２２は、第２の実施形態に係るＤＵ３００の概略的な構成の例を示すブロック図である。図２２を参照すると、ＤＵ３００は、無線通信部３１０、ネットワーク通信部３２０、記憶部３３０及び処理部３５０を備える。
【０１６６】
無線通信部３１０、ネットワーク通信部３２０及び記憶部３３０の説明については、第１の実施形態と第２の実施形態との間で差異ない。よって、ここでは重複する説明を省略する。
【０１６７】
（１）処理部３５０
処理部３５０は、ＤＵ３００の様々な機能を提供する。処理部３５０は、第１通信処理部３５１及び第２通信処理部３５３を含む。なお、処理部３５０は、これらの構成要素以外の他の構成要素をさらに含み得る。即ち、処理部３５０は、これらの構成要素の動作以外の動作も行い得る。
【０１６８】
例えば、処理部３５０（第１通信処理部３５１）は、無線通信部３１０を介して端末装置５００と通信する。例えば、処理部３５０（第２通信処理部３５３）は、ネットワーク通信部３２０を介してＣＵ２００（又は第２の基地局４００）と通信する。
【０１６９】
（２）実装例
処理部３５０は、ベースバンド（ＢＢ）プロセッサ及び／又は他の種類のプロセッサ等の１つ以上のプロセッサにより実装されてもよい。第１通信処理部３５１及び第２通信処理部３５３は、同一のプロセッサにより実装されてもよく、別々に異なるプロセッサにより実装されてもよい。メモリ（記憶部３３０）は、上記１つ以上のプロセッサ内に含まれていてもよく、又は、上記１つ以上のプロセッサ外にあってもよい。
【０１７０】
ＤＵ３００は、プログラム（命令）を記憶するメモリと、当該プログラム（命令）を実行可能な１つ以上のプロセッサとを含んでもよい。当該１つ以上のプロセッサは、上記プログラムを実行して、処理部３５０の動作（第１通信処理部３５１及び／又は第２通信処理部３５３の動作）を行ってもよい。上記プログラムは、処理部３５０の動作（第１通信処理部３５１及び／又は第２通信処理部３５３の動作）をプロセッサに実行させるためのプログラムであってもよい。
【０１７１】
なお、ＤＵ３００は、仮想化されていてもよい。即ち、ＤＵ３００は、仮想マシンとして実装されてもよい。この場合に、ＤＵ３００（仮想マシン）は、プロセッサ及びメモリ等を含む物理マシン（ハードウェア）及びハイパーバイザ上で仮想マシンとして動作してもよい。
【０１７２】
＜＜３．３．技術的特徴＞＞
次に、図２３を参照して、第２の実施形態に係る技術的特徴の例を説明する。
【０１７３】
（１）データ量のカウント
例えば、第１の基地局１００は、少なくともＮＲを用いるデュアルコネクティビティのセカンダリノード（ＳＮ）として端末装置５００のために動作する。この場合に、第１の基地局１００は、第１の基地局１００と端末装置５００との間で伝達されるデータの量を、ＲＬＣレイヤ又はＭＡＣレイヤにおいてカウントする。
【０１７４】
とりわけ第２の実施形態では、上述したように、ＣＵ２００が、ＲＬＣレイヤ及びＭＡＣレイヤの処理を実行するので、ＣＵ２００（カウント部２５５）が、ＲＬＣレイヤ又はＭＡＣレイヤにおいて上記データ量をカウントする。
【０１７５】
なお、「カウントする」という文言は、「測定する」という文言と置き換えられてもよい。
【０１７６】
−ＲＬＣ／ＭＡＣ
具体的には、例えば、ＣＵ２００（カウント部２５５）は、ＲＬＣ又はＭＡＣのパケットのデータ量をカウントする。例えば、当該パケットは、ＲＬＣ又はＭＡＣのサービスデータユニット（ＳＤＵ）であってもよい。あるいは、上記パケットは、ＲＬＣ又はＭＡＣのプロトコルデータユニット（ＰＤＵ）であってもよい。
【０１７７】
−カウントされるデータ
例えば、カウントされる上記データの説明については、第１の実施形態と第２の実施形態との間で差異ない。よって、ここでは重複する説明を省略する。
【０１７８】
−ベアラ／ＱｏＳフロー
例えば、データ量のカウントは、ベアラごとに行われる。ここでのベアラは、無線ベアラ（ＲＢ）（例えば、データ無線ベアラ（ＤＲＢ））であってもよく、無線アクセスベアラ（ＲＡＢ）であってもよい。あるいは、データ量のカウントは、ＱｏＳフローごとに行われてもよい。
【０１７９】
これにより、例えば、様々な無線ベアラに起因してデータの処理ルートが複雑であったとしても、ＳＮはベアラによらずデータ量をカウントすることが可能になる。そのため、ＳＮは、データ量をＭＮに報告することができる。
【０１８０】
（２）ＣＵによるデータ量情報の送信
例えば、ＣＵ２００（第２通信処理部２５３）は、（カウントされた）上記データの上記量を示すデータ量情報を第２の基地局４００（ＭＮ）へ送信する。
【０１８１】
例えば、ＣＵ２００（第２通信処理部２４３）は、上記データ量情報を含むメッセージを第２の基地局４００（ＭＮ）へ送信する。
【０１８２】
例えば、上記デュアルコネクティビティは、ＥＮ−ＤＣであり、第１の基地局１００と第２の基地局４００との間のインタフェース５０は、Ｘ２インタフェースであり、上記メッセージは、Ｘ２メッセージである。より具体的には、例えば、上記メッセージは、Ｓｅｃｏｎｄａｒｙ  ＲＡＴ  Ｄａｔａ  Ｕｓａｇｅ  Ｒｅｐｏｒｔメッセージである。
【０１８３】
例えば、上記ＳＥＣＯＮＤＡＲＹ  ＲＡＴ  ＤＡＴＡ  ＵＳＡＧＥ  ＲＥＰＯＲＴメッセージの内容の説明（図１５及び図１６）については、第１の実施形態と第２の実施形態との間で差異ない。よって、ここでは重複する説明を省略する。
【０１８４】
図１６にも示されるように、例えば、上記データ量情報は、ベアラごとの情報（ベアラごとのデータの量を示す情報）を含む。ここでのベアラは、無線ベアラ（ＲＢ）（例えば、データ無線ベアラ（ＤＲＢ））であってもよく、無線アクセスベアラ（ＲＡＢ）（例えば、Ｅ−ＲＡＢ）であってもよい。あるいは、上記データ量情報は、ＱｏＳフローごとの情報（ＱｏＳフローごとのデータの量を示す情報）を含んでもよい。
【０１８５】
（３）第２の基地局によるデータ量情報の送信
例えば、第２の基地局４００（第１通信処理部４４１）は、上記データ量情報を含む上記メッセージを第１の基地局１００（ＣＵ２００）から受信する。
【０１８６】
例えば、第２の基地局４００（第２通信処理部４４３）は、さらに、上記データ量情報が用いられたメッセージをコアネットワーク１０へ送信する。
【０１８７】
例えば、コアネットワーク１０へ送信される上記メッセージは、上記データ量情報を含む。あるいは、コアネットワーク１０へ送信される上記メッセージは、上記データ量情報に基づいて（第２の基地局４００により）生成された別のデータ量情報（例えば集約（ａｇｇｒｅｇａｔｅ）されたデータ量情報）を含んでもよい。
【０１８８】
例えば、上記デュアルコネクティビティは、ＥＮ−ＤＣであり、第２の基地局４００とコアネットワーク１０との間のインタフェース４０は、Ｓ１インタフェースであり、上記メッセージは、Ｓ１メッセージである。より具体的には、例えば、上記メッセージは、ＳＥＣＯＮＤＡＲＹ  ＲＡＴ  ＲＥＰＯＲＴメッセージであり、Ｕｓａｇｅ  ｃｏｕｎｔ  ＵＬ  ＩＥ及びＵｓａｇｅ  ｃｏｕｎｔ  ＤＬ  ＩＥ（即ちカウントされたデータ量）を含む。
【０１８９】
（４）処理の流れ
図２３は、第２の実施形態に係る処理の概略的な流れの例を説明するためのシーケンス図である。
【０１９０】
ＣＵ２００は、第１の基地局１００（ＳＮ）と端末装置５００との間で伝達されるデータの量を、ＲＬＣレイヤ又はＭＡＣレイヤにおいてカウントする（Ｓ６４１）。
【０１９１】
ＣＵ２００は、カウントされた上記データの上記量を示すデータ量情報（Ｕｓａｇｅ  ｃｏｕｎｔ  ＵＬ  ＩＥ及びＵｓａｇｅ  ｃｏｕｎｔ  ＤＬ  ＩＥ）を含むＳＥＣＯＮＤＡＲＹ  ＲＡＴ  ＤＡＴＡ  ＵＳＡＧＥ  ＲＥＰＯＲＴメッセージを第２の基地局４００へ送信する（Ｓ６４３）。
【０１９２】
なお、第２の基地局４００は、さらに、上記データ量情報を用いたＳＥＣＯＮＤＡＲＹ  ＲＡＴ  ＲＥＰＯＲＴメッセージ（Ｕｓａｇｅ  ｃｏｕｎｔ  ＵＬ  ＩＥ及びＵｓａｇｅ  ｃｏｕｎｔ  ＤＬ  ＩＥを含むＳＥＣＯＮＤＡＲＹ  ＲＡＴ  ＲＥＰＯＲＴメッセージ）をコアネットワーク１０へ送信し得る。
【０１９３】
＜＜３．４．変形例＞＞
次に、図２４を参照して、第２の実施形態の変形例を説明する。以下では第２の実施形態の上述した例と当該変形例との相違点を説明する。
【０１９４】
（１）ＣＵによるデータ量情報の送信
第２の実施形態の上述した例では、ＣＵ２００（第２通信処理部２４３）は、上記データ量情報を含むメッセージ（制御プレーンのメッセージ）を第２の基地局４００（ＭＮ）へ送信する。しかし、第２の実施形態はこの例に限定されない。
【０１９５】
とりわけ第２の実施形態の変形例では、ＣＵ２００（第２通信処理部２４３）は、データ量情報を含むユーザプレーンフレームを第２の基地局４００（ＭＮ）へ送信する。
【０１９６】
具体的には、例えば、ＣＵ２００（第２通信処理部２４３）は、上記デュアルコネクティビティのセカンダリノード（ＳＮ）（第１の基地局１００）で終端する少なくとも１つの無線ベアラを通じて第１の基地局１００と端末装置５００との間で伝達される第１のデータの量を示す第１のデータ量情報を含むユーザプレーンフレームを、第２の基地局４００（ＭＮ）へ送信する。例えば、上記ＳＮ（第１の基地局１００）で終端する上記少なくとも１つの無線ベアラは、ＳＮ  Ｔｅｒｍｉｎａｔｅｄ  ｂｅａｒｅｒを含む。例えば、上記第１のデータは、上記ＳＮ  Ｔｅｒｍｉｎａｔｅｄ  ｂｅａｒｅｒのうちのＳｐｌｉｔ  ｂｅａｒｅｒ及びＳＣＧ  ｂｅａｒｅｒを通じて第１の基地局１００と端末装置５００との間で伝達されるデータである。
【０１９７】
さらに、例えば、ＣＵ２００（第２通信処理部２４３）は、上記デュアルコネクティビティのマスタノード（ＭＮ）（第２の基地局４００）で終端する少なくとも１つの無線ベアラを通じて第１の基地局１００と端末装置５００との間で伝達される第２のデータの量を示す第２のデータ量情報を含むユーザプレーンフレームを、第２の基地局４００（ＭＮ）へ送信する。例えば、上記ＭＮ（第２の基地局４００）で終端する上記少なくとも１つの無線ベアラは、ＭＮ  Ｔｅｒｍｉｎａｔｅｄ  ｂｅａｒｅｒを含む。例えば、上記第２のデータは、上記ＭＮ  Ｔｅｒｍｉｎａｔｅｄ  ｂｅａｒｅｒのうちのＳｐｌｉｔ  ｂｅａｒｅｒ及びＳＣＧ  ｂｅａｒｅｒを通じて第１の基地局１００と端末装置５００との間で伝達されるデータである。
【０１９８】
例えば、上記ユーザプレーンフレームは、ＧＴＰ−Ｕのフレームである。具体的には、例えば、上記ユーザプレーンフレームは、ＤＬ  ＤＡＴＡ  ＤＥＬＩＶＥＲＹ  ＳＴＡＴＵＳフレームである。
【０１９９】
例えば、上記ＤＬ  ＤＡＴＡ  ＤＥＬＩＶＥＲＹ  ＳＴＡＴＵＳフレームの内容の説明（図１８）については、第１の実施形態と第２の実施形態との間で差異ない。よって、ここでは重複する説明を省略する。
【０２００】
（２）第２の基地局によるデータ量情報の送信
例えば、第２の基地局４００（第１通信処理部４４１）は、上記第１のデータ量情報を含む上記メッセージを第１の基地局１００（ＣＵ２００）から受信する。また、第２の基地局４００（第１通信処理部４４１）は、上記第２のデータ量情報を含むユーザプレーンフレームを第１の基地局１００（ＣＵ２００）から受信する。
【０２０１】
例えば、第２の基地局４００（第２通信処理部４４３）は、さらに、上記第１のデータ量情報及び上記第２のデータ量情報が用いられたメッセージをコアネットワーク１０へ送信する。
【０２０２】
例えば、コアネットワーク１０へ送信される上記メッセージは、上記第１のデータ量情報及び上記第２のデータ量情報を含む。あるいは、コアネットワーク１０へ送信される上記メッセージは、上記第１のデータ量情報及び上記第２のデータ量情報に基づいて（第２の基地局４００により）生成された別のデータ量情報（例えば集約（ａｇｇｒｅｇａｔｅ）されたデータ量情報）を含んでもよい。
【０２０３】
（３）処理の流れ
図２４は、第２の実施形態の変形例に係る処理の概略的な流れの例を説明するためのシーケンス図である。
【０２０４】
ＣＵ２００は、第１の基地局１００（ＳＮ）と端末装置５００との間で伝達されるデータの量を、ＲＬＣレイヤ又はＭＡＣレイヤにおいてカウントする（Ｓ６６１）。より具体的には、ＣＵ２００は、ＳＮ  Ｔｅｒｍｉｎａｔｅｄ  ｂｅａｒｅｒを通じて第１の基地局１００（ＳＮ）と端末装置５００との間で伝達される第１のデータの量をカウントし、ＭＮ  Ｔｅｒｍｉｎａｔｅｄ  ｂｅａｒｅｒを通じて第１の基地局１００（ＳＮ）と端末装置５００との間で伝達される第２のデータの量をカウントする。
【０２０５】
ＣＵ２００は、カウントされた上記第２のデータの上記量を示す第２のデータ量情報（Ｕｓａｇｅ  ｃｏｕｎｔ  ＵＬ及びＵｓａｇｅ  ｃｏｕｎｔ  ＤＬ）を含むＤＬ  ＤＡＴＡ  ＤＥＬＩＶＥＲＹ  ＳＴＡＴＵＳフレームを第２の基地局４００へ送信する（Ｓ６６３）。
【０２０６】
ＣＵ２００は、カウントされた上記第１のデータの上記量を示す第１のデータ量情報（Ｕｓａｇｅ  ｃｏｕｎｔ  ＵＬ  ＩＥ及びＵｓａｇｅ  ｃｏｕｎｔ  ＤＬ  ＩＥ）を含むＳＥＣＯＮＤＡＲＹ  ＲＡＴ  ＤＡＴＡ  ＵＳＡＧＥ  ＲＥＰＯＲＴメッセージを第２の基地局４００へ送信する（Ｓ６６５）。
【０２０７】
なお、第２の基地局４００は、さらに、上記第１のデータ量情報及び上記第２のデータ量情報が用いられたＳＥＣＯＮＤＡＲＹ  ＲＡＴ  ＲＥＰＯＲＴメッセージ（Ｕｓａｇｅ  ｃｏｕｎｔ  ＵＬ  ＩＥ及びＵｓａｇｅ  ｃｏｕｎｔ  ＤＬ  ＩＥを含むＳＥＣＯＮＤＡＲＹ  ＲＡＴ  ＲＥＰＯＲＴメッセージ）をコアネットワーク１０へ送信し得る。
【０２０８】
＜＜＜４．第３の実施形態＞＞＞
続いて、図２５〜図３２を参照して、本発明の第３の実施形態を説明する。
【０２０９】
＜＜４．１．第１の基地局の分割＞＞
まず、図２５及び図２６を参照して、第３の実施形態に係る第１の基地局１００の分割を説明する。
【０２１０】
図２５は、第３の実施形態に係る第１の基地局１００の分割（Ｓｐｌｉｔ）の例を説明するための説明図である。図２５を参照すると、第１の基地局１００は、中央ユニット（ＣＵ）２００及び分散ユニット（ＤＵ）３００を含む。さらに、第３の実施形態では、ＣＵ２００は、制御プレーンのための第１の中央ユニットであるＣＵ−ＣＰ２０１と、ユーザプレーンのための第２の中央ユニットであるＣＵ−ＵＰとを含む。１つのＣＵ−ＣＰ２０１に対して、複数のＣＵ−ＵＰ２０３が存在してもよい。各ＤＵ３００は、インタフェース６１を介してＣＵ−ＣＰ２０１と通信し、インタフェース６３を介してＣＵ−ＵＰ２０３と通信する。
【０２１１】
例えば、ＣＵ２００は、ＰＤＣＰレイヤの処理を実行し、ＤＵ３００は、ＲＬＣレイヤ及びＭＡＣレイヤの処理を実行する。即ち、第１の基地局１００は、Ｈｉｇｈｅｒ  Ｌａｙｅｒ  Ｓｐｌｉｔにより分割（Ｓｐｌｉｔ）される。
【０２１２】
図２６は、第３の実施形態に係る第１の基地局１００の分割（Ｈｉｇｈｅｒ  Ｌａｙｅｒ  Ｓｐｌｉｔ）の例を説明するための説明図である。図２６を参照すると、第１の基地局１００に含まれるＣＵ２００及びＤＵ３００が示されている。ＰＤＣＰレイヤは、ＣＵ２００に位置し、ＲＬＣレイヤ、ＭＡＣレイヤ及び物理（ＰＨＹ）レイヤは、ＤＵ３００に位置する。即ち、ＣＵ２００は、ＰＤＣＰレイヤの処理を実行し、ＤＵ３００は、ＲＬＣレイヤ、ＭＡＣレイヤ及びＰＨＹレイヤの処理を実行する。さらに、ＰＤＣＰレイヤのうちの制御プレーンは、ＣＵ−ＣＰ２０１に位置し、ＰＤＣＰレイヤのうちのユーザプレーンは、ＣＵ−ＵＰ２０３に位置する。この場合に、インタフェース６１は、Ｆ１−Ｃインタフェースであり、インタフェース６３は、Ｆ１−Ｕインタフェースである。
【０２１３】
あるいは、第３の実施形態において、ＣＵ２００は、ＰＤＣＰレイヤの処理、ＲＬＣレイヤ及びＭＡＣレイヤの処理を実行してもよい。即ち、第１の基地局１００は、Ｌｏｗｅｒ  Ｌａｙｅｒ  Ｓｐｌｉｔにより分割（Ｓｐｌｉｔ）されてもよい。
【０２１４】
＜＜４．２．各ノードの構成＞＞
次に、図２７及び図２８を参照して、各ノードの構成を説明する。
【０２１５】
なお、第３の実施形態に係るＤＵ３００の構成は、例えば、第１の実施形態又は第２の実施形態に係るＤＵ３００の構成と同じである。また、第３の実施形態に係る第２の基地局４００及び端末装置５００の構成も、例えば、第１の実施形態（又は第２の実施形態）に係る第２の基地局４００及び端末装置５００の構成と同じである。よって、ここでは重複する説明を省略する。
【０２１６】
＜４．２．１．ＣＵ−ＣＰの構成＞
図２７は、第３の実施形態に係るＣＵ−ＣＰ２０１の概略的な構成の例を示すブロック図である。図２７を参照すると、ＣＵ−ＣＰ２０１は、第１ネットワーク通信部２１１、第２ネットワーク通信部２２１、記憶部２３１及び処理部２６０を備える。
【０２１７】
（１）第１ネットワーク通信部２１１
第１ネットワーク通信部２１１は、ＣＵ−ＵＰ２０３からの信号を受信し、ＣＵ−ＵＰ２０３への信号を送信する。
【０２１８】
第１ネットワーク通信部２１１は、ＤＵ３００からの信号を受信してもよく、ＤＵ３００への信号を送信してもよい。
【０２１９】
（２）第２ネットワーク通信部２２１
第２ネットワーク通信部２２１は、第２の基地局４００からの信号を受信し、第２の基地局４００への信号を送信する。
【０２２０】
第２ネットワーク通信部２２１は、コアネットワーク１０からの信号を受信してもよく、コアネットワーク１０への信号を送信してもよい。
【０２２１】
（３）記憶部２３１
記憶部２３１は、ＣＵ−ＣＰ２０１の動作のためのプログラム（命令）及びパラメータ、並びに様々なデータを、一時的に又は恒久的に記憶する。当該プログラムは、ＣＵ−ＣＰ２０１の動作のための１つ以上の命令を含む。
【０２２２】
（４）処理部２６０
処理部２６０は、ＣＵ−ＣＰ２０１の様々な機能を提供する。処理部２６０は、第１通信処理部２６１及び第２通信処理部２６３を含む。なお、処理部２６０は、これらの構成要素以外の他の構成要素をさらに含み得る。即ち、処理部２６０は、これらの構成要素の動作以外の動作も行い得る。
【０２２３】
例えば、処理部２６０（第１通信処理部２６１）は、第１ネットワーク通信部２１１を介してＣＵ−ＵＰ２０３（又はＤＵ３００）と通信する。例えば、処理部２４０（第２通信処理部２６３）は、第２ネットワーク通信部２２１を介して第２の基地局４００（又はコアネットワーク１０）と通信する。
【０２２４】
（５）実装例
第１ネットワーク通信部２１１及び第２ネットワーク通信部２２１の各々は、ネットワークアダプタ並びに／又はネットワークインタフェースカード等により実装されてもよい。記憶部２３１は、メモリ（例えば、不揮発性メモリ及び／若しくは揮発性メモリ）並びに／又はハードディスク等により実装されてもよい。処理部２６０は、ベースバンド（ＢＢ）プロセッサ及び／又は他の種類のプロセッサ等の１つ以上のプロセッサにより実装されてもよい。第１通信処理部２６１及び第２通信処理部２６３は、同一のプロセッサにより実装されてもよく、別々に異なるプロセッサにより実装されてもよい。上記メモリ（記憶部２３１）は、上記１つ以上のプロセッサ内に含まれていてもよく、又は、上記１つ以上のプロセッサ外にあってもよい。
【０２２５】
ＣＵ−ＣＰ２０１は、プログラム（命令）を記憶するメモリと、当該プログラム（命令）を実行可能な１つ以上のプロセッサとを含んでもよい。当該１つ以上のプロセッサは、上記プログラムを実行して、処理部２６０の動作（第１通信処理部２６１及び／又は第２通信処理部２６３の動作）を行ってもよい。上記プログラムは、処理部２６０の動作（第１通信処理部２６１及び／又は第２通信処理部２６３の動作）をプロセッサに実行させるためのプログラムであってもよい。
【０２２６】
なお、ＣＵ−ＣＰ２０１は、仮想化されていてもよい。即ち、ＣＵ−ＣＰ２０１は、仮想マシンとして実装されてもよい。この場合に、ＣＵ−ＣＰ２０１（仮想マシン）は、プロセッサ及びメモリ等を含む物理マシン（ハードウェア）及びハイパーバイザ上で仮想マシンとして動作してもよい。
【０２２７】
＜４．２．２．ＣＵ−ＵＰの構成＞
図２８は、第３の実施形態に係るＣＵ−ＵＰ２０３の概略的な構成の例を示すブロック図である。図２８を参照すると、ＣＵ−ＵＰ２０３は、第１ネットワーク通信部２１３、第２ネットワーク通信部２２３、記憶部２３３及び処理部２７０を備える。
【０２２８】
（１）第１ネットワーク通信部２１３
第１ネットワーク通信部２１３は、ＣＵ−ＣＰ２０１からの信号を受信し、ＣＵ−ＣＰ２０１への信号を送信する。
【０２２９】
第１ネットワーク通信部２１３は、ＤＵ３００からの信号を受信してもよく、ＤＵ３００への信号を送信してもよい。
【０２３０】
（２）第２ネットワーク通信部２２３
第２ネットワーク通信部２２３は、第２の基地局４００からの信号を受信し、第２の基地局４００への信号を送信する。
【０２３１】
第２ネットワーク通信部２２３は、コアネットワーク１０からの信号を受信してもよく、コアネットワーク１０への信号を送信してもよい。
【０２３２】
（３）記憶部２３３
記憶部２３３は、ＣＵ−ＵＰ２０３の動作のためのプログラム（命令）及びパラメータ、並びに様々なデータを、一時的に又は恒久的に記憶する。当該プログラムは、ＣＵ−ＵＰ２０３の動作のための１つ以上の命令を含む。
【０２３３】
（４）処理部２７０
処理部２７０は、ＣＵ−ＵＰ２０３の様々な機能を提供する。処理部２７０は、第１通信処理部２７１及び第２通信処理部２７３を含む。なお、処理部２７０は、これらの構成要素以外の他の構成要素をさらに含み得る。即ち、処理部２７０は、これらの構成要素の動作以外の動作も行い得る。
【０２３４】
例えば、処理部２７０（第１通信処理部２７１）は、第１ネットワーク通信部２１３を介してＣＵ−ＣＰ２０１（又はＤＵ３００）と通信する。例えば、処理部２７０（第２通信処理部２７３）は、第２ネットワーク通信部２２３を介して第２の基地局４００（又はコアネットワーク１０）と通信する。
【０２３５】
（５）実装例
第１ネットワーク通信部２１３及び第２ネットワーク通信部２２３の各々は、ネットワークアダプタ並びに／又はネットワークインタフェースカード等により実装されてもよい。記憶部２３３は、メモリ（例えば、不揮発性メモリ及び／若しくは揮発性メモリ）並びに／又はハードディスク等により実装されてもよい。処理部２７０は、ベースバンド（ＢＢ）プロセッサ及び／又は他の種類のプロセッサ等の１つ以上のプロセッサにより実装されてもよい。第１通信処理部２７１及び第２通信処理部２７３は、同一のプロセッサにより実装されてもよく、別々に異なるプロセッサにより実装されてもよい。上記メモリ（記憶部２３３）は、上記１つ以上のプロセッサ内に含まれていてもよく、又は、上記１つ以上のプロセッサ外にあってもよい。
【０２３６】
ＣＵ−ＵＰ２０３は、プログラム（命令）を記憶するメモリと、当該プログラム（命令）を実行可能な１つ以上のプロセッサとを含んでもよい。当該１つ以上のプロセッサは、上記プログラムを実行して、処理部２７０の動作（第１通信処理部２７１及び／又は第２通信処理部２７３の動作）を行ってもよい。上記プログラムは、処理部２７０の動作（第１通信処理部２７１及び／又は第２通信処理部２７３の動作）をプロセッサに実行させるためのプログラムであってもよい。
【０２３７】
なお、ＣＵ−ＵＰ２０３は、仮想化されていてもよい。即ち、ＣＵ−ＵＰ２０３は、仮想マシンとして実装されてもよい。この場合に、ＣＵ−ＵＰ２０３（仮想マシン）は、プロセッサ及びメモリ等を含む物理マシン（ハードウェア）及びハイパーバイザ上で仮想マシンとして動作してもよい。
【０２３８】
＜＜４．３．技術的特徴＞＞
次に、図２９〜図３２を参照して、第３の実施形態に係る技術的特徴の例を説明する。
【０２３９】
第３の実施形態では、第１の実施形態及び第２の実施形態における説明が適宜適用され得る。以下では、具体的な処理の流れを説明する。
【０２４０】
（１）処理の流れ（第１の例）
図２９は、第３の実施形態に係る処理の概略的な流れの第１の例を説明するためのシーケンス図である。
【０２４１】
ＣＵ−ＣＰ２０１（第１通信処理部２６１）は、Ｄａｔａ  Ｕｓａｇｅ  ｒｅｐｏｒｔ  Ｉｎｄｉｃａｔｉｏｎ  ＩＥ（データ量情報の送信の指示）を含むＵＥ  ＣＯＮＴＥＸＴ  ＳＥＴＵＰ  ＲＥＱＵＥＳＴメッセージ又はＵＥ  ＣＯＮＴＥＸＴ  ＭＯＤＩＦＩＣＡＴＩＯＮ  ＲＥＱＵＥＳＴメッセージをＤＵ３００へ送信する（Ｓ７０１）。
【０２４２】
ＤＵ３００（カウント部３４５）は、第１の基地局１００（ＳＮ）と端末装置５００との間で伝達されるデータの量をカウントする（Ｓ７０３）。例えば、ＤＵ３００は、ＲＬＣレイヤ又はＭＡＣレイヤにおいて、当該データの当該量をカウントする。例えば、ＤＵ３００（カウント部３４５）は、ＳＮ  Ｔｅｒｍｉｎａｔｅｄ  Ｂｅａｒｅｒを通じて伝達される第１のデータの量と、ＭＮ  Ｔｅｒｍｉｎａｔｅｄ  Ｂｅａｒｅｒを通じて伝達される第２のデータの量とをカウントする。
【０２４３】
ＤＵ３００（第２通信処理部３４３）は、カウントされたデータの量を示すデータ量情報をＣＵ−ＵＰ２０３へ送信する（Ｓ７０５）。例えば、ＤＵ３００は、当該データ量情報を含むユーザプレーンフレームをＣＵ−ＵＰ２０３へ送信する。
【０２４４】
ＣＵ−ＵＰ２０３（第１通信処理部２７１）は、上記データ量情報をＣＵ−ＣＰ２０１へ送信する（Ｓ７０７）。
【０２４５】
ＣＵ−ＣＰ２０１（第２通信処理部２６３）は、上記データ量情報を用いたＳＥＣＯＮＤＡＲＹ  ＲＡＴ  ＤＡＴＡ  ＵＳＡＧＥ  ＲＥＰＯＲＴメッセージ（Ｕｓａｇｅ  ｃｏｕｎｔ  ＵＬ  ＩＥ及びＵｓａｇｅ  ｃｏｕｎｔ  ＤＬ  ＩＥを含むＳＥＣＯＮＤＡＲＹ  ＲＡＴ  ＤＡＴＡ  ＵＳＡＧＥ  ＲＥＰＯＲＴメッセージ）を第２の基地局４００へ送信する（Ｓ７０９）。
【０２４６】
なお、第２の基地局４００は、さらに、上記データ量情報を用いたＳＥＣＯＮＤＡＲＹ  ＲＡＴ  ＲＥＰＯＲＴメッセージ（Ｕｓａｇｅ  ｃｏｕｎｔ  ＵＬ  ＩＥ及びＵｓａｇｅ  ｃｏｕｎｔ  ＤＬ  ＩＥを含むＳＥＣＯＮＤＡＲＹ  ＲＡＴ  ＲＥＰＯＲＴメッセージ）をコアネットワーク１０へ送信し得る。
【０２４７】
上述した処理のステップのうち、ステップＳ７０１は省略されてもよい。即ち、上述したように、ＤＵ３００は、ＣＵ２００からの指示（データ量情報の送信の指示）（Ｄａｔａ  Ｕｓａｇｅ  ｒｅｐｏｒｔ  Ｉｎｄｉｃａｔｉｏｎ  ＩＥ）を受信しなくてもよく、ＣＵ２００からの当該指示なしに上記データ量情報を送信してもよい。（第１の実施形態及び第２の実施形態を参照）
【０２４８】
（２）処理の流れ（第２の例）
図３０は、第３の実施形態に係る処理の概略的な流れの第２の例を説明するためのシーケンス図である。
【０２４９】
ＣＵ−ＣＰ２０１（第１通信処理部２６１）は、Ｄａｔａ  Ｕｓａｇｅ  ｒｅｐｏｒｔ  Ｉｎｄｉｃａｔｉｏｎ  ＩＥ（データ量情報の送信の指示）を含むＵＥ  ＣＯＮＴＥＸＴ  ＳＥＴＵＰ  ＲＥＱＵＥＳＴメッセージ又はＵＥ  ＣＯＮＴＥＸＴ  ＭＯＤＩＦＩＣＡＴＩＯＮ  ＲＥＱＵＥＳＴメッセージをＤＵ３００へ送信する（Ｓ７２１）。
【０２５０】
ＤＵ３００（カウント部３４５）は、第１の基地局１００（ＳＮ）と端末装置５００との間で伝達されるデータの量をカウントする（Ｓ７２３）。例えば、ＤＵ３００は、ＲＬＣレイヤ又はＭＡＣレイヤにおいて、当該データの当該量をカウントする。例えば、ＤＵ３００（カウント部３４５）は、ＳＮ  Ｔｅｒｍｉｎａｔｅｄ  Ｂｅａｒｅｒを通じて伝達される第１のデータの量と、ＭＮ  Ｔｅｒｍｉｎａｔｅｄ  Ｂｅａｒｅｒを通じて伝達される第２のデータの量とをカウントする。
【０２５１】
ＤＵ３００（第２通信処理部３４３）は、カウントされた上記第２のデータの量を示す第２のデータ量情報を第２の基地局４００（ＭＮ）へ送信する（Ｓ７２５）。例えば、ＤＵ３００は、当該第２のデータ量情報を含むユーザプレーンフレームを第２の基地局４００へ送信する。
【０２５２】
ＤＵ３００（第２通信処理部３４３）は、カウントされた上記第１のデータの量を示す第１のデータ量情報をＣＵ−ＵＰ２０３へ送信する（Ｓ７２７）。例えば、ＤＵ３００は、当該第１のデータ量情報を含むユーザプレーンフレームをＣＵ−ＵＰ２０３へ送信する。
【０２５３】
ＣＵ−ＵＰ２０３（第１通信処理部２７１）は、上記第１のデータ量情報をＣＵ−ＣＰ２０１へ送信する（Ｓ７２９）。
【０２５４】
ＣＵ−ＣＰ２０１（第２通信処理部２６３）は、上記第１のデータ量情報を用いたＳＥＣＯＮＤＡＲＹ  ＲＡＴ  ＤＡＴＡ  ＵＳＡＧＥ  ＲＥＰＯＲＴメッセージ（Ｕｓａｇｅ  ｃｏｕｎｔ  ＵＬ  ＩＥ及びＵｓａｇｅ  ｃｏｕｎｔ  ＤＬ  ＩＥを含むＳＥＣＯＮＤＡＲＹ  ＲＡＴ  ＤＡＴＡ  ＵＳＡＧＥ  ＲＥＰＯＲＴメッセージ）を第２の基地局４００へ送信する（Ｓ７３１）。
【０２５５】
なお、第２の基地局４００は、さらに、上記１のデータ量情報及び上記第２のデータ量情報を用いたＳＥＣＯＮＤＡＲＹ  ＲＡＴ  ＲＥＰＯＲＴメッセージ（Ｕｓａｇｅ  ｃｏｕｎｔ  ＵＬ  ＩＥ及びＵｓａｇｅ  ｃｏｕｎｔ  ＤＬ  ＩＥを含むＳＥＣＯＮＤＡＲＹ  ＲＡＴ  ＲＥＰＯＲＴメッセージ）をコアネットワーク１０へ送信し得る。
【０２５６】
上述した処理のステップのうち、ステップＳ７２１は省略されてもよい。即ち、上述したように、ＤＵ３００は、ＣＵ２００からの指示（データ量情報の送信の指示）（Ｄａｔａ  Ｕｓａｇｅ  ｒｅｐｏｒｔ  Ｉｎｄｉｃａｔｉｏｎ  ＩＥ）を受信しなくてもよく、ＣＵ２００からの当該指示なしに上記データ量情報を送信してもよい。（第１の実施形態及び第２の実施形態を参照）。
【０２５７】
（３）処理の流れ（第３の例）
図３１は、第３の実施形態に係る処理の概略的な流れの第３の例を説明するためのシーケンス図である。
【０２５８】
この例では、ＣＵ−ＵＰ２０３の処理部２７０は、カウント部２７５（測定部２７５）をさらに含む。
【０２５９】
ＣＵ−ＵＰ２０３（カウント部２７５）は、第１の基地局１００（ＳＮ）と端末装置５００との間で伝達されるデータの量をカウントする（Ｓ７４１）。例えば、ＣＵ−ＵＰ２０３（カウント部２７５）は、ＳＮ  Ｔｅｒｍｉｎａｔｅｄ  Ｂｅａｒｅｒを通じて伝達される第１のデータの量をカウントする。ＣＵ−ＵＰ２０３（カウント部２７５）は、ＭＮ  Ｔｅｒｍｉｎａｔｅｄ  Ｂｅａｒｅｒを通じて伝達される第２のデータの量もカウントしてもよい。例えば、ＣＵ−ＵＰ２０３（カウント部２７５）は、ＰＤＣＰレイヤとＲＬＣレイヤとの間で、上記第１のデータの上記量（及び上記第２のデータの上記量）をカウントする。あるいは、ＣＵ−ＵＰ２０３（カウント部２７５）は、ＲＬＣレイヤ又はＭＡＣにおいて、上記第１のデータの上記量（及び上記第２のデータの上記量）をカウントしてもよい（Ｌｏｗｅｒ  Ｌａｙｅｒ  Ｓｐｌｉｔのケース）。
【０２６０】
ＣＵ−ＵＰ２０３（第１通信処理部２７１）は、カウントされたデータの量を示すデータ量情報をＣＵ−ＣＰ２０１へ送信する（Ｓ７４３）。
【０２６１】
ＣＵ−ＣＰ２０１（第２通信処理部２６３）は、上記データ量情報を用いたＳＥＣＯＮＤＡＲＹ  ＲＡＴ  ＤＡＴＡ  ＵＳＡＧＥ  ＲＥＰＯＲＴメッセージ（Ｕｓａｇｅ  ｃｏｕｎｔ  ＵＬ  ＩＥ及びＵｓａｇｅ  ｃｏｕｎｔ  ＤＬ  ＩＥを含むＳＥＣＯＮＤＡＲＹ  ＲＡＴ  ＤＡＴＡ  ＵＳＡＧＥ  ＲＥＰＯＲＴメッセージ）を第２の基地局４００へ送信する（Ｓ７４５）。
【０２６２】
なお、第２の基地局４００は、さらに、上記データ量情報を用いたＳＥＣＯＮＤＡＲＹ  ＲＡＴ  ＲＥＰＯＲＴメッセージ（Ｕｓａｇｅ  ｃｏｕｎｔ  ＵＬ  ＩＥ及びＵｓａｇｅ  ｃｏｕｎｔ  ＤＬ  ＩＥを含むＳＥＣＯＮＤＡＲＹ  ＲＡＴ  ＲＥＰＯＲＴメッセージ）をコアネットワーク１０へ送信し得る。
【０２６３】
ＣＵ−ＵＰ２０３は、ＣＵ−ＣＰ２０１からの指示（データ量情報の送信の指示）に応じて、上記データ量情報をＣＵ−ＣＰ２０１へ送信してもよい。あるいは、ＣＵ−ＵＰ２０３は、ＣＵ−ＣＰ２０１からの指示なしに、上記データ量情報をＣＵ−ＣＰ２０１へ送信してもよい。この場合に、上記データ量情報の送信（即ち、データ量の報告）を行うか否か、及び、上記データ量情報の送信（即ち、データ量の報告）のタイミング等が、ＯＡＭによって設定されてもよい。
【０２６４】
（４）処理の流れ（第４の例）
図３２は、第３の実施形態に係る処理の概略的な流れの第４の例を説明するためのシーケンス図である。
【０２６５】
この例では、ＣＵ−ＵＰ２０３の処理部２７０は、カウント部２７５（測定部２７５）をさらに含む。
【０２６６】
ＣＵ−ＵＰ２０３（カウント部２７５）は、第１の基地局１００（ＳＮ）と端末装置５００との間で伝達されるデータの量をカウントする（Ｓ７６１）。例えば、ＣＵ−ＵＰ２０３（カウント部２７５）は、ＳＮ  Ｔｅｒｍｉｎａｔｅｄ  Ｂｅａｒｅｒを通じて伝達される第１のデータの量と、ＭＮ  Ｔｅｒｍｉｎａｔｅｄ  Ｂｅａｒｅｒを通じて伝達される第２のデータの量とをカウントする。例えば、ＣＵ−ＵＰ２０３（カウント部２７５）は、ＰＤＣＰレイヤとＲＬＣレイヤとの間で、上記第１のデータの上記量及び上記第２のデータの上記量をカウントする。あるいは、ＣＵ−ＵＰ２０３（カウント部２７５）は、ＲＬＣレイヤ又はＭＡＣにおいて、上記第１のデータの上記量及び上記第２のデータの上記量をカウントしてもよい（Ｌｏｗｅｒ  Ｌａｙｅｒ  Ｓｐｌｉｔのケース）。
【０２６７】
ＣＵ−ＵＰ２０３（第２通信処理部２７３）は、カウントされた上記第２のデータの量を示す第２のデータ量情報を第２の基地局４００（ＭＮ）へ送信する（Ｓ７６３）。例えば、ＣＵ−ＵＰ２０３は、当該第２のデータ量情報を含むユーザプレーンフレームを第２の基地局４００へ送信する。
【０２６８】
ＣＵ−ＵＰ２０３（第１通信処理部２７１）は、カウントされた上記第１のデータの量を示す第１のデータ量情報をＣＵ−ＣＰ２０１へ送信する（Ｓ７６５）。
【０２６９】
ＣＵ−ＣＰ２０１（第２通信処理部２６３）は、上記第１のデータ量情報を用いたＳＥＣＯＮＤＡＲＹ  ＲＡＴ  ＤＡＴＡ  ＵＳＡＧＥ  ＲＥＰＯＲＴメッセージ（Ｕｓａｇｅ  ｃｏｕｎｔ  ＵＬ  ＩＥ及びＵｓａｇｅ  ｃｏｕｎｔ  ＤＬ  ＩＥを含むＳＥＣＯＮＤＡＲＹ  ＲＡＴ  ＤＡＴＡ  ＵＳＡＧＥ  ＲＥＰＯＲＴメッセージ）を第２の基地局４００へ送信する（Ｓ７６７）。
【０２７０】
なお、第２の基地局４００は、さらに、上記１のデータ量情報及び上記第２のデータ量情報を用いたＳＥＣＯＮＤＡＲＹ  ＲＡＴ  ＲＥＰＯＲＴメッセージ（Ｕｓａｇｅ  ｃｏｕｎｔ  ＵＬ  ＩＥ及びＵｓａｇｅ  ｃｏｕｎｔ  ＤＬ  ＩＥを含むＳＥＣＯＮＤＡＲＹ  ＲＡＴ  ＲＥＰＯＲＴメッセージ）をコアネットワーク１０へ送信し得る。
【０２７１】
ＣＵ−ＵＰ２０３は、ＣＵ−ＣＰ２０１からの指示（データ量情報の送信の指示）に応じて、データ量情報を送信してもよい。あるいは、ＣＵ−ＵＰ２０３は、ＣＵ−ＣＰ２０１からの指示なしに、データ量情報を送信してもよい。この場合に、データ量情報の送信（即ち、データ量の報告）を行うか否か、及び、データ量情報の送信（即ち、データ量の報告）のタイミング等が、ＯＡＭによって設定されてもよい。
【０２７２】
＜＜＜５．第４の実施形態＞＞＞
続いて、図３３〜図３５を参照して、本発明の第４の実施形態を説明する。上述した第１の実施形態、第２の実施形態及び第３の実施形態は、具体的な実施形態であるが、第４の実施形態は、より一般化された実施形態である。
【０２７３】
＜＜５．１．各ノードの構成＞＞
まず、図３３〜図３５を参照して、各ノードの構成を説明する。
【０２７４】
＜５．１．１．第１の通信装置の構成＞
図３３は、第４の実施形態に係る第１の通信装置１１００の概略的な構成の例を示すブロック図である。図３３を参照すると、第１の通信装置１１００は、通信処理部１１１０を備える。通信処理部１１１０の具体的な動作は後に説明する。
【０２７５】
通信処理部１１１０は、ベースバンド（ＢＢ）プロセッサ及び／又は他の種類のプロセッサ等の１つ以上のプロセッサと、メモリ（例えば、不揮発性メモリ及び／若しくは揮発性メモリ）並びに／又はハードディスクとにより実装されてもよい。上記メモリは、上記１つ以上のプロセッサ内に含まれていてもよく、又は、上記１つ以上のプロセッサ外にあってもよい。
【０２７６】
第１の通信装置１１００は、プログラム（命令）を記憶するメモリと、当該プログラム（命令）を実行可能な１つ以上のプロセッサとを含んでもよい。当該１つ以上のプロセッサは、上記プログラムを実行して、通信処理部１１１０の動作を行ってもよい。上記プログラムは、通信処理部１１１０の動作をプロセッサに実行させるためのプログラムであってもよい。
【０２７７】
なお、第１の通信装置１１００は、仮想化されていてもよい。即ち、第１の通信装置１１００は、仮想マシンとして実装されてもよい。この場合に、第１の通信装置１１００（仮想マシン）は、プロセッサ及びメモリ等を含む物理マシン（ハードウェア）及びハイパーバイザ上で仮想マシンとして動作してもよい。
【０２７８】
＜５．１．２．第２の通信装置の構成＞
図３４は、第４の実施形態に係る第２の通信装置１２００の概略的な構成の例を示すブロック図である。図３４を参照すると、第２の通信装置１２００は、第１通信処理部１２１０及び第２通信処理部１２２０を備える。第１通信処理部１２１０及び第２通信処理部１２２０の具体的な動作は後に説明する。
【０２７９】
第１通信処理部１２１０及び第２通信処理部１２２０は、ベースバンド（ＢＢ）プロセッサ及び／又は他の種類のプロセッサ等の１つ以上のプロセッサと、メモリ（例えば、不揮発性メモリ及び／若しくは揮発性メモリ）並びに／又はハードディスクとにより実装されてもよい。上記メモリは、上記１つ以上のプロセッサ内に含まれていてもよく、又は、上記１つ以上のプロセッサ外にあってもよい。
【０２８０】
第２の通信装置１２００は、プログラム（命令）を記憶するメモリと、当該プログラム（命令）を実行可能な１つ以上のプロセッサとを含んでもよい。当該１つ以上のプロセッサは、上記プログラムを実行して、第１通信処理部１２１０及び／又は第２通信処理部１２２０の動作を行ってもよい。上記プログラムは、第１通信処理部１２１０及び／又は第２通信処理部１２２０の動作をプロセッサに実行させるためのプログラムであってもよい。
【０２８１】
なお、第２の通信装置１２００は、仮想化されていてもよい。即ち、第２の通信装置１２００は、仮想マシンとして実装されてもよい。この場合に、第２の通信装置１２００（仮想マシン）は、プロセッサ及びメモリ等を含む物理マシン（ハードウェア）及びハイパーバイザ上で仮想マシンとして動作してもよい。
【０２８２】
＜５．１．３．端末装置の構成＞
図３５は、第４の実施形態に係る端末装置１３００の概略的な構成の例を示すブロック図である。図３５を参照すると、端末装置１３００は、第１通信処理部１３１０及び第２通信処理部１３２０を備える。第１通信処理部１３１０及び第２通信処理部１３２０の具体的な動作は後に説明する。
【０２８３】
第１通信処理部１３１０及び第２通信処理部１３２０は、ベースバンド（ＢＢ）プロセッサ及び／又は他の種類のプロセッサ等の１つ以上のプロセッサと、メモリ（例えば、不揮発性メモリ及び／若しくは揮発性メモリ）並びに／又はハードディスクとにより実装されてもよい。上記メモリは、上記１つ以上のプロセッサ内に含まれていてもよく、又は、上記１つ以上のプロセッサ外にあってもよい。
【０２８４】
端末装置１３００は、プログラム（命令）を記憶するメモリと、当該プログラム（命令）を実行可能な１つ以上のプロセッサとを含んでもよい。当該１つ以上のプロセッサは、上記プログラムを実行して、第１通信処理部１３１０及び／又は第２通信処理部１３２０の動作を行ってもよい。上記プログラムは、第１通信処理部１３１０及び／又は第２通信処理部１３２０の動作をプロセッサに実行させるためのプログラムであってもよい。
【０２８５】
＜＜５．２．技術的特徴＞＞
次に、第４の実施形態に係る技術的特徴の例を説明する。
【０２８６】
（１）第１の通信装置１１００
第１の通信装置１１００（通信処理部１１１０）は、少なくともＮＲを用いるデュアルコネクティビティのセカンダリノードとして端末装置のために動作する第１の基地局と当該端末装置との間で伝達されるデータの量を示すデータ量情報を、上記第１の基地局に含まれる中央ユニットへ送信する。
【０２８７】
第１の例として、上記第１の基地局は、上記中央ユニットと分散ユニットとを含み、第１の通信装置１１００は、当該分散ユニットである。具体的には、例えば、第１の通信装置１１００は、第１の実施形態のＤＵ３００であり、通信処理部１１１０は、第１の実施形態のＤＵ３００の第２通信処理部３４３である。
【０２８８】
第２の例として、上記中央ユニットは、上記第１の基地局に含まれるＣＵ−ＣＰ（制御プレーンのための第１の中央ユニット）であってもよく、第１の通信装置１１００は、上記第１の基地局に含まれるＣＵ−ＵＰ（ユーザプレーンのための第２の中央ユニット）であってもよい。具体的には、例えば、上記中央ユニットは、第３の実施形態のＣＵ−ＣＰ２０１であってもよく、第１の通信装置１１００は、第３の実施形態のＣＵ−ＵＰ２０３であってもよく、通信処理部１１１０は、第３の実施形態のＣＵ−ＵＰ２０３の第１通信処理部２７１であってもよい。
【０２８９】
第３の例として、第１の通信装置１１００は、上記第１の基地局であってもよい。具体的には、例えば、第１の通信装置１１００は、第１の実施形態の第１の基地局１００であってもよく、通信処理部１１１０は、第１の実施形態の第１の基地局１００に含まれるＤＵ３００の第２通信処理部３４３であってもよい。あるいは、第１の通信装置１１００は、第３の実施形態の第１の基地局１００であってもよく、通信処理部１１１０は、第３の実施形態のＣＵ−ＵＰ２０３の第１通信処理部２７１であってもよい。
【０２９０】
これにより、例えば、ＳＮ（中央ユニット）は、データ量をＭＮに報告することができる。
【０２９１】
（２）第２の通信装置１２００
第２の通信装置１２００（第１通信処理部１２１０）は、上記データ量情報を、上記第１の基地局に含まれるユニットから受信する。第２の通信装置１２００（第２通信処理部１２２０）は、上記デュアルコネクティビティのマスタノードとして動作する第２の基地局へ、上記データ量情報が用いられたメッセージを送信する。
【０２９２】
第１の例として、上記ユニットは、上記第１の基地局に含まれる分散ユニットであり、第２の通信装置１２００は、上記第１の基地局に含まれる中央ユニットである。具体的には、例えば、上記ユニットは、第１の実施形態のＤＵ３００であり、第２の通信装置１２００は、第１の実施形態のＣＵ２００であり、第１通信処理部１２１０及び第２通信処理部１２２０は、第１の実施形態のＣＵ２００の第１通信処理部２４１及び第２通信処理部２４３である。
【０２９３】
第２の例として、上記ユニットは、上記第１の基地局に含まれるＣＵ−ＵＰ（ユーザプレーンのための第２の中央ユニット）であってもよく、第２の通信装置１２００は、上記第１の基地局に含まれるＣＵ−ＣＰ（制御プレーンのための第１の中央ユニット）であってもよい。具体的には、例えば、上記ユニットは、第３の実施形態のＣＵ−ＵＰ２０３であってもよく、第２の通信装置１２００は、第３の実施形態のＣＵ−ＣＰ２０１であってもよく、第１通信処理部１２１０及び第２通信処理部１２２０は、第３の実施形態のＣＵ−ＣＰ２０１の第１通信処理部２６１及び第２通信処理部２６３であってもよい。
【０２９４】
第３の例として、第２の通信装置１２００は、上記第１の基地局であってもよい。具体的には、例えば、第２の通信装置１２００は、第１の実施形態の第１の基地局１００であってもよく、第１通信処理部１２１０及び第２通信処理部１２２０は、第１の実施形態の第１の基地局１００に含まれるＣＵ２００の第１通信処理部２４１及び第２通信処理部２４３であってもよい。あるいは、第２の通信装置１２００は、第３の実施形態の第１の基地局１００であってもよく、第１通信処理部１２１０及び第２通信処理部１２２０は、第３の実施形態の第１の基地局１００に含まれるＣＵ−ＣＰ２０１の第１通信処理部２６１及び第２通信処理部２６３であってもよい。
【０２９５】
（３）端末装置１３００
端末装置１３００（第１通信処理部１３１０）は、上記第１の基地局と通信する。端末装置１３００（第２通信処理部１３２０）は、上記第２の基地局と通信する。
【０２９６】
例えば、端末装置１３００は、第１の実施形態、第２の実施形態又は第３の実施形態の端末装置５００であり、第１通信処理部１３１０及び第２通信処理部１３２０は、端末装置５００の第１通信処理部５４１及び第２通信処理部５４３である。
【０２９７】
なお、第４の実施形態は上述した例に限定されない。
【０２９８】
以上、本発明の実施形態を説明したが、本発明はこれらの実施形態に限定されるものではない。これらの実施形態は例示にすぎないということ、及び、本発明のスコープ及び精神から逸脱することなく様々な変形が可能であるということは、当業者に理解されるであろう。
【０２９９】
例えば、本明細書に記載されている処理におけるステップは、必ずしもシーケンス図に記載された順序に沿って時系列に実行されなくてよい。例えば、処理におけるステップは、シーケンス図として記載した順序と異なる順序で実行されても、並列的に実行されてもよい。また、処理におけるステップの一部が削除されてもよく、さらなるステップが処理に追加されてもよい。
【０３００】
また、本明細書において説明したノード（第１の基地局、ＣＵ、ＤＵ、第２の基地局又は端末装置）の構成要素（例えば、通信処理部及び／又はカウント部）を備える装置（ノードを構成する複数の部分装置のうちの１つ、又は、ノード若しくは部分装置のためのモジュール）が提供されてもよい。また、上記構成要素の処理を含む方法が提供されてもよく、上記構成要素の処理をプロセッサに実行させるためのプログラムが提供されてもよい。また、当該プログラムを記録したコンピュータに読み取り可能な非一時的記録媒体（Non-transitory  computer  readable  medium）が提供されてもよい。当然ながら、このような部分装置、モジュール、方法、プログラム、及びコンピュータに読み取り可能な非一時的記録媒体も本発明に含まれる。
【０３０１】
上記実施形態の一部又は全部は、以下の付記のようにも記載され得るが、以下には限られない。
【０３０２】
（付記１）
少なくともＮＲ（Ｎｅｗ  Ｒａｄｉｏ）を用いるデュアルコネクティビティのセカンダリノードとして端末装置のために動作する第１の基地局と前記端末装置との間で伝達されるデータの量を示すデータ量情報を、前記第１の基地局に含まれる中央ユニットへ送信する通信処理部、
を備える通信装置。
【０３０３】
（付記２）
前記データは、前記セカンダリノードで終端する少なくとも１つの無線ベアラを通じて前記第１の基地局と前記端末装置との間で伝達される第１のデータを含む、付記１に記載の通信装置。
【０３０４】
（付記３）
前記セカンダリノードで終端する前記少なくとも１つの無線ベアラは、ＳＮ  Ｔｅｒｍｉｎａｔｅｄ  ｂｅａｒｅｒを含み、
前記第１のデータは、前記ＳＮ  Ｔｅｒｍｉｎａｔｅｄ  ｂｅａｒｅｒのうちのＳｐｌｉｔ  ｂｅａｒｅｒ及びＳＣＧ  ｂｅａｒｅｒを通じて前記第１の基地局と前記端末装置との間で伝達されるデータである、
付記２に記載の通信装置。
【０３０５】
（付記４）
前記データは、前記デュアルコネクティビティのマスタノードで終端する少なくとも１つの無線ベアラを通じて前記第１の基地局と前記端末装置との間で伝達される第２のデータをさらに含む、付記２又は３に記載の通信装置。
【０３０６】
（付記５）
前記マスタノードで終端する前記少なくとも１つの無線ベアラは、ＭＮ  Ｔｅｒｍｉｎａｔｅｄ  ｂｅａｒｅｒを含み、
前記第２のデータは、前記ＭＮ  Ｔｅｒｍｉｎａｔｅｄ  ｂｅａｒｅｒのうちのＳｐｌｉｔ  ｂｅａｒｅｒ及びＳＣＧ  ｂｅａｒｅｒを通じて前記第１の基地局と前記端末装置との間で伝達されるデータである、
付記４に記載の通信装置。
【０３０７】
（付記６）
前記通信処理部は、前記データ量情報を含むシグナリングメッセージを前記中央ユニットへ送信する、付記１〜５のいずれか１項に記載の通信装置。
【０３０８】
（付記７）
前記通信処理部は、Ｆ１インタフェースを介して前記シグナリングメッセージを前記中央ユニットへ送信する、付記６に記載の通信装置。
【０３０９】
（付記８）
前記データ量情報は、Ｕｓａｇｅ  ｃｏｕｎｔ  ＩＥを含む、付記６又は７に記載の通信装置。
【０３１０】
（付記９）
前記シグナリングメッセージは、ＤＡＴＡ  ＵＳＡＧＥ  ＲＥＰＯＲＴメッセージである、付記６〜８のいずれか１項に記載の通信装置。
【０３１１】
（付記１０）
前記データ量情報は、前記端末装置のために前記デュアルコネクティビティのマスタノードとして動作する第２の基地局へ前記中央ユニットが送信するメッセージに用いられる情報である、付記６〜９のいずれか１項に記載の通信装置。
【０３１２】
（付記１１）
前記通信処理部は、前記データ量情報を含むユーザプレーンフレームを前記中央ユニットへ送信する、付記１〜３のいずれか１項に記載の通信装置。
【０３１３】
（付記１２）
前記データは、前記セカンダリノードで終端する無線ベアラを通じて前記第１の基地局と前記端末装置との間で伝達される第１のデータであり、
前記データ量情報は、前記第１のデータの量を示す第１のデータ量情報である、
付記１１に記載の通信装置。
【０３１４】
（付記１３）
前記通信処理部は、前記デュアルコネクティビティのマスタノードで終端する無線ベアラを通じて前記第１の基地局と前記端末装置との間で伝達される第２のデータの量を示す第２のデータ量情報を含むユーザプレーンフレームを、前記端末装置のために前記マスタノードとして動作する第２の基地局へ送信する、付記１２に記載の通信装置。
【０３１５】
（付記１４）
前記第１のデータ量情報は、前記中央ユニットが前記第２の基地局へ送信するメッセージに用いられる情報であり、
前記第２のデータ量情報は、前記メッセージに用いられない情報である、
付記１３に記載の通信装置。
【０３１６】
（付記１５）
前記ユーザプレーンフレームは、ＧＴＰ−Ｕ（ＧＰＲＳ  Ｔｕｎｎｅｌｉｎｇ  Ｐｒｏｔｏｃｏｌ  Ｕｓｅｒ  Ｐｌａｎｅ）のフレームである、付記１１〜１４のいずれか１項に記載の通信装置。
【０３１７】
（付記１６）
前記ユーザプレーンフレームは、ＤＬ  ＤＡＴＡ  ＤＥＬＩＶＥＲＹ  ＳＴＡＴＵＳフレームである、付記１５に記載の通信装置。
【０３１８】
（付記１７）
前記通信処理部は、前記中央ユニットからの指示に応じて、前記データ量情報を送信する、付記１〜１６のいずれか１項に記載の通信装置。
【０３１９】
（付記１８）
前記指示は、Ｄａｔａ  Ｕｓａｇｅ  ｒｅｐｏｒｔ  Ｉｎｄｉｃａｔｉｏｎ  ＩＥ（Ｉｎｆｏｒｍａｔｉｏｎ  Ｅｌｅｍｅｎｔ）である、付記１７に記載の通信装置。
【０３２０】
（付記１９）
前記通信処理部は、前記指示を含むシグナリングメッセージに応じて、前記データ量情報を送信し、
前記シグナリングメッセージは、ＵＥ  ＣＯＮＴＥＸＴ  ＳＥＴＵＰ  ＲＥＱＵＥＳＴメッセージ、又はＵＥ  ＣＯＮＴＥＸＴ  ＭＯＤＩＦＩＣＡＴＩＯＮ  ＲＥＱＵＥＳＴメッセージである、
付記１７又は１８に記載の通信装置。
【０３２１】
（付記２０）
前記中央ユニットが前記第２の基地局へ送信する前記メッセージは、ＳＥＣＯＮＤＡＲＹ  ＲＡＴ  ＤＡＴＡ  ＵＳＡＧＥ  ＲＥＰＯＲＴメッセージである、付記１０又は１４に記載の通信装置。
【０３２２】
（付記２１）
前記データの前記量をカウントするカウント部をさらに備える、付記１〜２０のいずれか１項に記載の通信装置。
【０３２３】
（付記２２）
前記カウント部は、ＲＬＣ（Ｒａｄｉｏ  Ｌｉｎｋ  Ｃｏｎｔｒｏｌ）レイヤ又はＭＡＣ（Ｍｅｄｉｕｍ  Ａｃｃｅｓｓ  Ｃｏｎｔｒｏｌ）レイヤにおいて、前記データの前記量をカウントする、付記２１に記載の通信装置。
【０３２４】
（付記２３）
前記通信装置は、前記第１の基地局に含まれる分散ユニットである、付記１〜２２のいずれか１項に記載の通信装置。
【０３２５】
（付記２４）
前記通信装置は、前記第１の基地局である、付記１〜２２のいずれか１項に記載の通信装置。
【０３２６】
（付記２５）
前記中央ユニットは、前記第１の基地局に含まれる、制御プレーンのための第１の中央ユニットであり、
前記通信装置は、前記第１の基地局に含まれる、ユーザプレーンのための第２の中央ユニットである、
付記１〜２２のいずれか１項に記載の通信装置。
【０３２７】
（付記２６）
前記第１の基地局は、前記中央ユニットと分散ユニットとを含み、
前記中央ユニットは、ＰＤＣＰ（Ｐａｃｋｅｔ  Ｄａｔａ  Ｃｏｎｖｅｒｇｅｎｃｅ  Ｐｒｏｔｏｃｏｌ）レイヤの処理を実行するユニットであり、
前記分散ユニットは、ＲＬＣレイヤ及びＭＡＣレイヤの処理を実行するユニットである、
付記１〜２５のいずれか１項に記載の通信装置。
【０３２８】
（付記２７）
前記デュアルコネクティビティは、ＮＲ及びＬＴＥ（Long  Term  Evolution）を用いるデュアルコネクティビティである、付記１〜２６のいずれか１項に記載の通信装置。
【０３２９】
（付記２８）
前記デュアルコネクティビティは、ＥＮ−ＤＣ（Ｅ−ＵＴＲＡ−ＮＲ  Ｄｕａｌ  Ｃｏｎｎｅｃｔｉｖｉｔｙ）であり、
前記第１の基地局は、ｅｎ−ｇＮＢである、
付記２７に記載の通信装置。
【０３３０】
（付記２９）
少なくともＮＲを用いるデュアルコネクティビティのセカンダリノードとして端末装置のために動作する第１の基地局と前記端末装置との間で伝達されるデータの量を示すデータ量情報を、前記第１の基地局に含まれるユニットから受信する第１通信処理部と、
前記端末装置のために前記デュアルコネクティビティのマスタノードとして動作する第２の基地局へ、前記データ量情報が用いられたメッセージを送信する第２通信処理部と、
を備え、
前記ユニットは、前記第１の基地局に含まれる分散ユニット、又は、前記第１の基地局に含まれる、ユーザプレーンのための第２の中央ユニットである、
通信装置。
【０３３１】
（付記３０）
前記ユニットは、前記分散ユニットであり、
前記通信装置は、前記第１の基地局に含まれる中央ユニットである、
付記２９に記載の通信装置。
【０３３２】
（付記３１）
前記ユニットは、前記第２の中央ユニットであり、
前記通信装置は、前記第１の基地局に含まれる、制御プレーンのための第１の中央ユニットである、
付記２９に記載の通信装置。
【０３３３】
（付記３２）
前記第１通信処理部は、前記データ量情報の送信の指示を含むシグナリングメッセージを前記ユニットへ送信する、付記２９〜３１のいずれか１項に記載の通信装置。
【０３３４】
（付記３３）
端末装置であって、
少なくともＮＲを用いるデュアルコネクティビティのセカンダリノードとして前記端末装置のために動作する第１の基地局と通信する第１通信処理部と、
前記端末装置のために前記デュアルコネクティビティのマスタノードとして動作する第２の基地局と通信する第２通信処理部と、
を備え、
前記第１の基地局は、前記第１の基地局と前記端末装置との間で伝達されるデータの量を示すデータ量情報を、前記第１の基地局に含まれる中央ユニットへ送信するユニットを含む、
端末装置。
【０３３５】
（付記３４）
少なくともＮＲを用いるデュアルコネクティビティのセカンダリノードとして端末装置のために動作する第１の基地局と前記端末装置との間で伝達されるデータの量を示すデータ量情報を、前記第１の基地局に含まれる中央ユニットへ送信すること、
を含む方法。
【０３３６】
（付記３５）
少なくともＮＲを用いるデュアルコネクティビティのセカンダリノードとして端末装置のために動作する第１の基地局と前記端末装置との間で伝達されるデータの量を示すデータ量情報を、前記第１の基地局に含まれる中央ユニットへ送信すること、
をプロセッサに実行させるプログラム。
【０３３７】
（付記３６）
少なくともＮＲを用いるデュアルコネクティビティのセカンダリノードとして端末装置のために動作する第１の基地局と前記端末装置との間で伝達されるデータの量を示すデータ量情報を、前記第１の基地局に含まれる中央ユニットへ送信すること、
をプロセッサに実行させるプログラムを記録したコンピュータに読み取り可能な非一時的記録媒体。
【０３３８】
（付記３７）
少なくともＮＲを用いるデュアルコネクティビティのセカンダリノードとして端末装置のために動作する第１の基地局と前記端末装置との間で伝達されるデータの量を示すデータ量情報を、前記第１の基地局に含まれるユニットから受信することと、
前記端末装置のために前記デュアルコネクティビティのマスタノードとして動作する第２の基地局へ、前記データ量情報が用いられたメッセージを送信することと、
を含み、
前記ユニットは、前記第１の基地局に含まれる分散ユニット、又は、前記第１の基地局に含まれる、ユーザプレーンのための第２の中央ユニットである、
方法。
【０３３９】
（付記３８）
少なくともＮＲを用いるデュアルコネクティビティのセカンダリノードとして端末装置のために動作する第１の基地局と前記端末装置との間で伝達されるデータの量を示すデータ量情報を、前記第１の基地局に含まれるユニットから受信することと、
前記端末装置のために前記デュアルコネクティビティのマスタノードとして動作する第２の基地局へ、前記データ量情報が用いられたメッセージを送信することと、
をプロセッサに実行させるプログラムであって、
前記ユニットは、前記第１の基地局に含まれる分散ユニット、又は、前記第１の基地局に含まれる、ユーザプレーンのための第２の中央ユニットである、
プログラム。
【０３４０】
（付記３９）
少なくともＮＲを用いるデュアルコネクティビティのセカンダリノードとして端末装置のために動作する第１の基地局と前記端末装置との間で伝達されるデータの量を示すデータ量情報を、前記第１の基地局に含まれるユニットから受信することと、
前記端末装置のために前記デュアルコネクティビティのマスタノードとして動作する第２の基地局へ、前記データ量情報が用いられたメッセージを送信することと、
をプロセッサに実行させるプログラムを記録したコンピュータに読み取り可能な非一時的記録媒体であって、
前記ユニットは、前記第１の基地局に含まれる分散ユニット、又は、前記第１の基地局に含まれる、ユーザプレーンのための第２の中央ユニットである、
コンピュータに読み取り可能な非一時的記録媒体。
【０３４１】
（付記４０）
少なくともＮＲを用いるデュアルコネクティビティのセカンダリノードとして端末装置のために動作する第１の基地局と通信することと、
前記端末装置のために前記デュアルコネクティビティのマスタノードとして動作する第２の基地局と通信することと、
を含み、
前記第１の基地局は、前記第１の基地局と前記端末装置との間で伝達されるデータの量を示すデータ量情報を、前記第１の基地局に含まれる中央ユニットへ送信するユニットを含む、
方法。
【０３４２】
（付記４１）
少なくともＮＲを用いるデュアルコネクティビティのセカンダリノードとして端末装置のために動作する第１の基地局と通信することと、
前記端末装置のために前記デュアルコネクティビティのマスタノードとして動作する第２の基地局と通信することと、
をプロセッサに実行させるプログラムであり、
前記第１の基地局は、前記第１の基地局と前記端末装置との間で伝達されるデータの量を示すデータ量情報を、前記第１の基地局に含まれる中央ユニットへ送信するユニットを含む、
プログラム。
【０３４３】
（付記４２）
少なくともＮＲを用いるデュアルコネクティビティのセカンダリノードとして端末装置のために動作する第１の基地局と通信することと、
前記端末装置のために前記デュアルコネクティビティのマスタノードとして動作する第２の基地局と通信することと、
をプロセッサに実行させるプログラムを記録したコンピュータに読み取り可能な非一時的記録媒体であり、
前記第１の基地局は、前記第１の基地局と前記端末装置との間で伝達されるデータの量を示すデータ量情報を、前記第１の基地局に含まれる中央ユニットへ送信するユニットを含む、
コンピュータに読み取り可能な非一時的記録媒体。
【０３４４】
この出願は、２０１８年２月１３日に出願された日本出願特願第２０１８−０２３３３１号を基礎とする優先権を主張し、その開示の全てをここに取り込む。
【産業上の利用可能性】
【０３４５】
移動体通信システムにて、デュアルコネクティビティにおいてセカンダリノード（ＳＮ）がマスタノード（ＭＮ）へデータ量を報告することができる。
【符号の説明】
【０３４６】
１              システム
１００          第１の基地局
２００          中央ユニット（ＣＵ）
２４１、２５１  第１通信処理部
２４３、２５３  第２通信処理部
２５５          カウント部
３００          分散ユニット（ＤＵ）
３４１、３５１  第１通信処理部
３４３、３５３  第２通信処理部
３４５          カウント部
４００    第２の基地局
４４１          第１通信処理部
４４３          第２通信処理部
５００    端末装置
５４１          第１通信処理部
５４３          第２通信処理部
７００          通信装置
７１０          カウント部
【図１】
2019159700.tif 000003
【図２】
2019159700.tif 000004
【図３】
2019159700.tif 000005
【図４】
2019159700.tif 000006
【図５】
2019159700.tif 000007
【図６】
2019159700.tif 000008
【図７】
2019159700.tif 000009
【図８】
2019159700.tif 000010
【図９】
2019159700.tif 000011
【図１０】
2019159700.tif 000012
【図１１】
2019159700.tif 000013
【図１２】
2019159700.tif 000014
【図１３】
2019159700.tif 000015
【図１４】
2019159700.tif 000016
【図１５】
2019159700.tif 000017
【図１６】
2019159700.tif 000018
【図１７】
2019159700.tif 000019
【図１８】
2019159700.tif 000020
【図１９】
2019159700.tif 000021
【図２０】
2019159700.tif 000022
【図２１】
2019159700.tif 000023
【図２２】
2019159700.tif 000024
【図２３】
2019159700.tif 000025
【図２４】
2019159700.tif 000026
【図２５】
2019159700.tif 000027
【図２６】
2019159700.tif 000028
【図２７】
2019159700.tif 000029
【図２８】
2019159700.tif 000030
【図２９】
2019159700.tif 000031
【図３０】
2019159700.tif 000032
【図３１】
2019159700.tif 000033
【図３２】
2019159700.tif 000034
【図３３】
2019159700.tif 000035
【図３４】
2019159700.tif 000036
【図３５】
2019159700.tif 000037
【手続補正書】
【提出日】令和2年8月7日(2020.8.7)
【手続補正１】
【補正対象書類名】特許請求の範囲
【補正対象項目名】全文
【補正方法】変更
【補正の内容】
【特許請求の範囲】
【請求項１】
第１の基地局の中央ユニットの第１のユニットであって、
前記中央ユニットは、
少なくとも前記第１の基地局におけるＰＤＣＰレイヤをホストし、
前記第１の基地局におけるＲＬＣ、ＭＡＣ、及びＰＨＹレイヤをホストする分散ユニットへ第１のインタフェースを介して接続され、
前記第１のユニットは、
少なくとも前記中央ユニットがホストする前記ＰＤＣＰレイヤのユーザプレーンをホストし、
少なくとも前記中央ユニットがホストする前記ＰＤＣＰレイヤの制御プレーンをホストする第２のユニットへ第２のインタフェースを介して接続され、前記第２のユニットへ、前記第１のユニットで処理されたデータボリュームを示す情報を送信する通信処理部を備える、第１のユニット。
【請求項２】
前記データボリュームは、端末装置が使用したデータ量である、請求項１に記載の第１のユニット。
【請求項３】
前記第１の基地局は、ｇＮＢである、請求項１又は２に記載の第１のユニット。
【請求項４】
前記第１の基地局は、ｅｎ−ｇＮＢである、請求項１又は２に記載の第１のユニット。
【請求項５】
前記第１の基地局は、Ｅ−ＵＴＲＡ−ＮＲ  Ｄｕａｌ  Ｃｏｎｎｅｃｔｉｖｉｔｙにおけるセカンダリノードである、請求項４に記載の第１のユニット。
【請求項６】
前記第１の基地局は、ＥＰＣ（Ｅｖｏｌｖｅｄ  Ｐａｃｋｅｔ  Ｃｏｒｅ）へ接続される、請求項１〜５のいずれか１項に記載の第１のユニット。
【請求項７】
前記第１の基地局は、５Ｇコアネットワークへ接続される、請求項１〜５のいずれか１項に記載の第１のユニット。
【請求項８】
第１の基地局の中央ユニットの第２のユニットであって、
前記中央ユニットは、
少なくとも前記第１の基地局におけるＰＤＣＰレイヤをホストし、
前記第１の基地局におけるＲＬＣ、ＭＡＣ、及びＰＨＹレイヤをホストする分散ユニットへ第１のインタフェースを介して接続され、
前記第２のユニットは、
少なくとも前記中央ユニットがホストする前記ＰＤＣＰレイヤの制御プレーンをホストし、
少なくとも前記中央ユニットがホストする前記ＰＤＣＰレイヤのユーザプレーンをホストする第１のユニットへ第２のインタフェースを介して接続され、前記第１のユニットから、前記第１のユニットで処理されたデータボリュームを示す情報を受信する通信処理部を備える、第２のユニット。
【請求項９】
少なくとも中央ユニットがホストするＰＤＣＰレイヤのユーザプレーンをホストする第１のユニットが実施する方法であって、
少なくとも前記中央ユニットがホストする前記ＰＤＣＰレイヤの制御プレーンをホストする第２のユニットへ第２のインタフェースを介して接続し、
前記第２のユニットへ、前記第１のユニットで処理されたデータボリュームを示す情報を送信する、ことを含み、
前記中央ユニットは、
少なくとも第１の基地局におけるＰＤＣＰレイヤをホストし、
前記第１の基地局におけるＲＬＣ、ＭＡＣ、及びＰＨＹレイヤをホストする分散ユニットへ第１のインタフェースを介して接続される、方法。
【請求項１０】
少なくとも中央ユニットがホストするＰＤＣＰレイヤの制御プレーンをホストする第２のユニットが実施する方法であって、
少なくとも前記中央ユニットがホストする前記ＰＤＣＰレイヤのユーザプレーンをホストする第１のユニットへ第２のインタフェースを介して接続され、
前記第１のユニットから、前記第１のユニットで処理されたデータボリュームを示す情報を受信する、ことを含み、
前記中央ユニットは、少なくとも第１の基地局におけるＰＤＣＰレイヤをホストし、
前記第１の基地局におけるＲＬＣ、ＭＡＣ、及びＰＨＹレイヤをホストする分散ユニットへ第１のインタフェースを介して接続される、方法。
【国際調査報告】
2019159700.tif 000038
2019159700.tif 000039
2019159700.tif 000040